(57)【要約】  可搬性の記録媒体に記録されているコンテンツのメニューを構成するメニューファイルを記録媒体に記録するメニューファイル記録部（１３１）と、標準形式でメニューファイルを作成する標準形式のメニューファイル作成部（１２９）と、標準形式で作成するよりも短時間で作成される簡易形式でメニューファイルを作成する簡易形式のメニューファイル作成部（１３０）と、標準形式のメニューファイル作成部（１２９）および簡易形式のメニューファイル作成部（１３０）のいずれかを選択し、標準形式および簡易形式のいずれでメニューファイルを作成させるかを選択するメニューファイル選択部（１２８）とを備える。
2007108345.tif 000002
【特許請求の範囲】
【請求項１】
可搬性の記録媒体に記録されているコンテンツデータのメニューを構成するメニューデータを前記記録媒体に記録するメニューデータ記録手段と、
第１のメニュー形式で前記メニューデータを生成する第１形式のメニューデータ生成手段と、
前記第１のメニュー形式で生成するよりも短時間で生成される第２のメニュー形式で前記メニューデータを生成する第２形式のメニューデータ生成手段と、
前記第１形式のメニューデータ生成手段および前記第２形式のメニューデータ生成手段のいずれかを選択し、前記第１のメニュー形式および前記第２のメニュー形式のいずれで前記メニューデータを生成させるかを選択するメニューデータ選択手段と
を備えることを特徴とする記録再生装置。
【請求項２】
前記第１形式のメニューデータ生成手段は、背景画像を含む前記第１のメニュー形式で前記メニューデータを生成し、
前記第２形式のメニューデータ生成手段は、背景画像を含まない前記第２のメニュー形式で前記メニューデータを生成する
ことを特徴とする請求項１に記載の記録再生装置。
【請求項３】
前記記録再生装置は、さらに、前記記録媒体が装着されたときに、前記メニューデータが前記記録媒体に記録されているか否かを検出するメニューデータ検出手段を備え、
前記メニューデータ選択手段は、前記メニューデータが前記記録媒体に記録されていないと前記メニューデータ検出手段で検出された場合は、前記第２形式のメニューデータ生成手段を選択し、前記第２のメニュー形式で前記メニューデータを生成させる
ことを特徴とする請求項１に記載の記録再生装置。
【請求項４】
前記メニューデータ選択手段は、前記記録媒体が排出されるときに、前記メニューデータに登録されているコンテンツデータと、前記記録媒体に記録されているコンテンツデータとの対応に不一致が生じている場合は、前記第２形式のメニューデータ生成手段を選択し、前記第２のメニュー形式で前記メニューデータを生成させる
ことを特徴とする請求項１に記載の記録再生装置。
【請求項５】
前記メニューデータ選択手段は、新規コンテンツデータの記録開始および記録終了のいずれかのときに、前記第２形式のメニューデータ生成手段を選択し、前記第２のメニュー形式で前記メニューデータを生成させる
ことを特徴とする請求項１に記載の記録再生装置。
【請求項６】
前記記録再生装置は、さらに、前記新規コンテンツデータを記録する状態に遷移したとき、および前記新規コンテンツデータの記録開始のときのいずれかのときに、前記メニューデータが前記記録媒体に記録されている場合は、前記メニューが無効になることを警告する警告画面を表示する警告画面表示手段
を備えることを特徴とする請求項５に記載の記録再生装置。
【請求項７】
前記記録再生装置は、ビデオカメラであって、
前記新規コンテンツデータを記録する状態は、前記ビデオカメラにおける撮影モードである
ことを特徴とする請求項６に記載の記録再生装置。
【請求項８】
前記記録再生装置は、さらに、前記メニューを作成するか否かをユーザから受け付けるユーザ操作受付手段を備え、
前記メニューデータ選択手段は、前記メニューを作成することが前記ユーザ操作受付手段で受け付けられた場合は、前記第１形式のメニューデータ生成手段を選択し、前記第１のメニュー形式で前記メニューデータを生成させる
ことを特徴とする請求項１に記載の記録再生装置。
【請求項９】
前記記録再生装置は、さらに、前記記録媒体に対してファイナライズ処理を行うときに、前記メニューを作成するか否かを選択させることが示される選択画面を表示する選択画面表示手段を備え、
前記ユーザ操作受付手段は、前記選択画面を介して、前記メニューを作成するか否かを前記ユーザから受け付け、
前記メニューデータ選択手段は、前記メニューを作成しないことが前記ユーザ操作受付手段で受け付けられた場合は、前記第２形式のメニューデータ生成手段を選択し、前記第２のメニュー形式で前記メニューデータを生成させる
ことを特徴とする請求項８に記載の記録再生装置。
【請求項１０】
可搬性の記録媒体に記録されているコンテンツデータのメニューを構成するメニューデータを前記記録媒体に記録するメニューデータ記録手段と、
前記記録媒体に記録される前記メニューデータを生成するメニューデータ生成手段と、
前記記録媒体に記録されている前記メニューデータを削除するメニューデータ削除手段と、
前記メニューデータ生成手段および前記メニューデータ削除手段のいずれかを選択し、前記メニューデータを生成させるか削除させるかを選択するメニューデータ選択手段と
を備えることを特徴とする記録再生装置。
【請求項１１】
前記メニューデータ選択手段は、前記記録媒体が排出されるときに、前記メニューデータに登録されているコンテンツデータと、前記記録媒体に記録されているコンテンツデータとの対応に不一致が生じている場合は、前記メニューデータ削除手段を選択し、前記メニューデータを削除させる
ことを特徴とする請求項１０に記載の記録再生装置。
【請求項１２】
前記メニューデータ選択手段は、新規コンテンツデータの記録開始および記録終了のいずれかのときに、前記メニューデータ削除手段を選択し、前記メニューデータを削除させる
ことを特徴とする請求項１１に記載の記録再生装置。
【請求項１３】
前記記録再生装置は、さらに、前記新規コンテンツデータを記録する状態に遷移したとき、および前記新規コンテンツデータの記録開始のときのいずれかのときに、前記メニューデータが前記記録媒体に記録されている場合は、前記メニューが無効になることを警告する警告画面を表示する警告画面表示手段
を備えることを特徴とする請求項１２に記載の記録再生装置。
【請求項１４】
前記記録再生装置は、ビデオカメラであって、
前記新規コンテンツデータを記録する状態は、前記ビデオカメラにおける撮影モードである
ことを特徴とする請求項１３に記載の記録再生装置。
【請求項１５】
前記記録再生装置は、さらに、前記メニューを作成するか否かをユーザから受け付けるユーザ操作受付手段を備え、
前記メニューデータ選択手段は、前記メニューを作成することが前記ユーザ操作受付手段で受け付けられた場合は、前記メニューデータ生成手段を選択し、前記メニューデータ
を生成させる
ことを特徴とする請求項１０に記載の記録再生装置。
【請求項１６】
前記記録再生装置は、さらに、前記記録媒体に対してファイナライズ処理を行うときに、前記メニューを作成するか否かを選択させることが示される選択画面を表示する選択画面表示手段を備え、
前記ユーザ操作受付手段は、前記選択画面を介して、前記メニューを作成するか否かをユーザから受け付け、
前記メニューデータ選択手段は、前記メニューを作成しないことが前記ユーザ操作受付手段で受け付けられた場合は、前記メニューデータ削除手段を選択し、前記メニューデータを削除させる
ことを特徴とする請求項１５に記載の記録再生装置。
【請求項１７】
可搬性の記録媒体に記録されているコンテンツデータのメニューを構成するメニューデータを前記記録媒体に記録するメニューデータ記録ステップと、
第１のメニュー形式で前記メニューデータを生成する第１形式のメニューデータ生成ステップと、
前記第１のメニュー形式で生成するよりも短時間で生成される第２のメニュー形式で前記メニューデータを生成する第２形式のメニューデータ生成ステップと、
前記第１形式のメニューデータ生成ステップおよび前記第２形式のメニューデータ生成ステップのいずれかを選択し、前記第１のメニュー形式および前記第２のメニュー形式のいずれで前記メニューデータを生成させるかを選択するメニューデータ選択ステップと
を含むことを特徴とする記録再生方法。
【請求項１８】
可搬性の記録媒体に記録されているコンテンツデータのメニューを構成するメニューデータを前記記録媒体に記録するメニューデータ記録ステップと、
第１のメニュー形式で前記メニューデータを生成する第１形式のメニューデータ生成ステップと、
前記第１のメニュー形式で生成するよりも短時間で生成される第２のメニュー形式で前記メニューデータを生成する第２形式のメニューデータ生成ステップと、
前記第１形式のメニューデータ生成ステップおよび前記第２形式のメニューデータ生成ステップのいずれかを選択し、前記第１のメニュー形式および前記第２のメニュー形式のいずれで前記メニューデータを生成させるかを選択するメニューデータ選択ステップと
をコンピュータシステムに実行させることを特徴とする記録再生プログラム。
【請求項１９】
可搬性の記録媒体に記録されているコンテンツデータのメニューを構成するメニューデータを前記記録媒体に記録するメニューデータ記録手段と、
第１のメニュー形式で前記メニューデータを生成する第１形式のメニューデータ生成手段と、
前記第１のメニュー形式で生成するよりも短時間で生成される第２のメニュー形式で前記メニューデータを生成する第２形式のメニューデータ生成手段と、
前記第１形式のメニューデータ生成手段および前記第２形式のメニューデータ生成手段のいずれかを選択し、前記第１のメニュー形式および前記第２のメニュー形式のいずれで前記メニューデータを生成させるかを選択するメニューデータ選択手段と
を備えることを特徴とする集積回路。
【発明の詳細な説明】
【技術分野】
【０００１】
本発明は、可搬性の記録媒体に音声や映像を記録し、記録した音声や映像を再生する記録再生装置に関する。
【背景技術】
【０００２】
従来、追記型ＤＶＤレコーダにおいて、記録済みのコンテンツデータに対する編集又は新たなコンテンツデータの記録を行った後は、追記型ＤＶＤのような可搬性の記録媒体に記録されているコンテンツデータのメニューを再生することを禁止する装置が提案されている（例えば、特許文献１参照。）。【０００３】
この装置では、少なくとも新たなメニューが記録されるまで、メニューを再生することが禁止される。さらに、記録媒体排出時に、現在記録媒体に記録されているタイトル内容を反映したメニューを作成し、作成したメニューおよび管理情報を記録媒体に記録する。
【特許文献１】特開２００４−３１８９２３号公報
【発明の開示】
【発明が解決しようとする課題】
【０００４】
しかしながら、従来の技術において、記録媒体排出時にメニューを生成する必要があるため、記録媒体排出前の処理に時間がかかるという問題がある。これは、特に、ＤＶＤを記録媒体に使用するビデオカメラにおいて、記録媒体の交換を急ぐ場合には、足かせとなる。【０００５】
そこで、本発明は、前記問題に鑑みてなされたものであり、記録媒体排出前などメニュー作成を急ぐ状況におけるメニュー作成処理を軽減しつつ、必要なメニューを作成する記録再生装置を提供することを目的とする。
【課題を解決するための手段】
【０００６】
前記目的を達成するために、本発明に係わる記録再生装置は、（ａ）（ａ１）可搬性の記録媒体に記録されているコンテンツデータのメニューを構成するメニューデータを前記記録媒体に記録するメニューデータ記録手段と、（ａ２）第１のメニュー形式で前記メニューデータを生成する第１形式のメニューデータ生成手段と、（ａ３）前記第１のメニュー形式で生成するよりも短時間で生成される第２のメニュー形式で前記メニューデータを生成する第２形式のメニューデータ生成手段と、（ａ４）前記第１形式のメニューデータ生成手段および前記第２形式のメニューデータ生成手段のいずれかを選択し、前記第１のメニュー形式および前記第２のメニュー形式のいずれで前記メニューデータを生成させるかを選択するメニューデータ選択手段とを備えることを特徴とする。【０００７】
これによって、短時間でメニューを作成する必要があるときは、第２のメニュー形式でメニューデータを生成することで、メニュー作成に要する時間を短縮することができる。このため、他の操作や処理に与える影響を小さくすることができる。【０００８】
さらに、（ｂ）前記記録再生装置は、（ｂ１）前記記録媒体が装着されたときに、前記メニューデータが前記記録媒体に記録されているか否かを検出するメニューデータ検出手段を備え、（ｂ２）前記メニューデータ選択手段は、前記メニューデータが前記記録媒体に記録されていないと前記メニューデータ検出手段で検出された場合は、前記第２形式のメニューデータ生成手段を選択し、前記第２のメニュー形式で前記メニューデータを生成させるとしてもよい。【０００９】
これによって、例えば、ＤＶＤなどのような記録媒体を排出する前にメニューを作成しなくとも、記録媒体を装着した時に、第１のメニュー形式で生成するよりも短時間で生成される第２のメニュー形式でメニューを作成することができる。このため、記録媒体排出前の処理を軽減することができる。結果、ＤＶＤなどのような可搬性の記録媒体を使用するビデオカメラでは、記録媒体の交換をすばやく行うことができ、操作性が良くなる。【００１０】
または、（ｃ）前記メニューデータ選択手段は、新規コンテンツデータの記録開始および記録終了のいずれかのときに、前記第２形式のメニューデータ生成手段を選択し、前記第２のメニュー形式で前記メニューデータを生成させるとしてもよい。【００１１】
さらに、（ｄ）前記記録再生装置は、前記新規コンテンツデータを記録する状態に遷移したとき、および前記新規コンテンツデータの記録開始のときのいずれかのときに、前記メニューデータが前記記録媒体に記録されている場合は、前記メニューが無効になることを警告する警告画面を表示する警告画面表示手段を備えるとしてもよい。【００１２】
これによって、録画操作が行われることで以前に記録されていたメニューデータが無効になる場合は、前もって警告を表示することで、意図しないメニューデータの無効化を避けることができる。【００１３】
なお、本発明は、記録再生装置として実現される以外に、記録再生装置を制御する方法（以下、記録再生方法と呼称する。）、記録再生方法をコンピュータシステムに実行させるプログラム（以下、記録再生プログラムと呼称する。）、記録再生プログラムを記録した記録媒体として実現されるとしてもよい。【００１４】
また、記録再生装置に組み込まれる集積回路（以下、記録再生集積回路と呼称する。）、プログラマブル・ロジック・デバイスに記録再生集積回路を形成する設計データ（以下、記録再生設計データと呼称する。）、記録再生設計データを記録した記録媒体として実現されるとしてもよい。
【発明の効果】
【００１５】
本発明によれば、ＤＶＤなどのような可搬性の記録媒体を使用するビデオカメラにおいて、簡易形式でメニューを作成することによって、記録媒体排出前の処理を軽減し、記録媒体の交換をすばやく行うことができる。また、メニューデータを生成する処理時間の短さが要求される状況においては、背景画像データを含まない簡易形式でメニューデータを生成するようにすることで、メニューデータ生成処理を軽減した記録再生装置を実現することができる。また、録画操作によって、以前に記録されていたメニューデータが無効になる場合は、前もって警告を表示することで、意図しないメニューデータの無効化を避けることができる。
【図面の簡単な説明】
【００１６】
【図１】図１は、本発明に係わる実施の形態における記録再生装置の外観を示す斜視図である。
【図２】図２は、本発明に係わる実施の形態における記録再生装置のハードウェア構成を示す図である。
【図３】図３は、本発明に係わる実施の形態における制御部の機能構成を示す図である。
【図４】図４は、本発明に係わる実施の形態における選択画面の表示例を示す図である。
【図５】図５は、本発明に係わる実施の形態における警告画面の表示例を示す図である。
【図６】図６は、本発明に係わる実施の形態における記録媒体に記録されているファイルの構成を示す図である。
【図７】図７は、本発明に係わる実施の形態における標準形式のメニューファイルのデータ構造を示す図である。
【図８】図８は、本発明に係わる実施の形態における標準形式のメニューの画面表示例を示す図である。
【図９】図９は、本発明に係わる実施の形態における簡易形式のメニューファイルのデータ構造を示す図である。
【図１０】図１０は、本発明に係わる実施の形態におけるメニューファイルによって記録媒体に記録されているコンテンツを順に再生する様子を示す概要図である。
【図１１】図１１は、本発明に係わる実施の形態における制御部において実行されるメニュー作成処理を示す図である。
【図１２】図１２は、本発明に係わる実施の形態における制御部において実行されるユーザ操作待ち処理を示す第１の図である。
【図１３】図１３は、本発明に係わる実施の形態における制御部において実行されるユーザ操作待ち処理を示す第２の図である。
【図１４】図１４は、本発明に係わる実施の形態における制御部において実行されるユーザ操作待ち処理を示す第３の図である。
【図１５】図１５は、本発明に係わる実施の形態における制御部において実行されるユーザ操作待ち処理を示す第４の図である。
【図１６】図１６は、本発明に係わる他の実施の形態における制御部の機能構成を示す図である。
【符号の説明】
【００１７】
１０  記録媒体
１００  記録再生装置
１０１  レンズ群
１０２  撮像部
１０３  Ａ／Ｄ変換部
１０４  映像信号処理部
１０５  圧縮多重部
１０６  記録処理部
１０８  ドライブ制御部
１０９  入力部
１１０  制御部
１１１  画像生成部
１１２  表示部
１１３  映像信号処理部
１１４  分離伸張部
１１５  再生処理部
１２１  ユーザ操作受付部
１２２  ファイナライズ実行部
１２３  メニュー画面表示部
１２４  選択画面表示部
１２５  警告画面表示部
１２６  コンテンツ再生部
１２７  メニューファイル検出部
１２８  メニューファイル選択部
１２９  標準形式のメニューファイル作成部
１３０  簡易形式のメニューファイル作成部
１３１  メニューファイル記録部
１３２  モード判定部
２１０  制御部
２２８  メニューファイル選択部
２２９  メニューファイル作成部
２３０  メニューファイル削除部
【発明を実施するための最良の形態】
【００１８】
（実施の形態）
以下、本発明に係わる実施の形態について図面を参照しながら説明する。【００１９】
本実施の形態における記録再生装置は、下記（ａ）〜（ｈ）に示される特徴を備える。【００２０】
（ａ）可搬性の記録媒体に記録されているコンテンツデータのメニューを構成するメニューデータを記録媒体に記録するメニューデータ記録機能と、第１のメニュー形式でメニューデータを生成する第１形式のメニューデータ生成機能と、第１のメニュー形式で生成するよりも短時間で生成される第２のメニュー形式でメニューデータを生成する第２形式のメニューデータ生成機能と、第１形式のメニューデータ生成機能および第２形式のメニューデータ生成機能のいずれかを選択し、第１のメニュー形式および第２のメニュー形式のいずれでメニューデータを生成させるかを選択するメニューデータ選択機能とを備える。【００２１】
（ｂ）第１形式のメニューデータ生成機能は、背景画像を含む第１のメニュー形式でメニューデータを生成し、第２形式のメニューデータ生成機能は、背景画像を含まない第２のメニュー形式でメニューデータを生成する。【００２２】
（ｃ）記録再生装置は、さらに、記録媒体が装着されたときに、メニューデータが記録媒体に記録されているか否かを検出するメニューデータ検出機能を備え、メニューデータ選択機能は、メニューデータが記録媒体に記録されていないとメニューデータ検出機能で検出された場合は、第２形式のメニューデータ生成機能を選択し、第２のメニュー形式でメニューデータを生成させる。【００２３】
（ｄ）メニューデータ選択機能は、記録媒体が排出されるときに、メニューデータに登録されているコンテンツデータと、記録媒体に記録されているコンテンツデータとの対応に不一致が生じている場合は、第２形式のメニューデータ生成機能を選択し、第２のメニュー形式でメニューデータを生成させる。【００２４】
（ｅ）メニューデータ選択機能は、新規コンテンツデータの記録開始および記録終了のいずれかのときに、第２形式のメニューデータ生成機能を選択し、第２のメニュー形式でメニューデータを生成させる。【００２５】
（ｆ）記録再生装置は、さらに、新規コンテンツデータを記録する状態に遷移したとき、および新規コンテンツデータの記録開始のときのいずれかのときに、メニューデータが記録媒体に記録されている場合は、メニューが無効になることを警告する警告画面を表示する警告画面表示機能を備える。【００２６】
（ｇ）記録再生装置は、さらに、メニューを作成するか否かをユーザから受け付けるユーザ操作受付機能を備え、メニューデータ選択機能は、メニューを作成することがユーザ操作受付機能で受け付けられた場合は、第１形式のメニューデータ生成機能を選択し、第１のメニュー形式でメニューデータを生成させる。【００２７】
（ｈ）記録再生装置は、さらに、記録媒体に対してファイナライズ処理を行うときに、メニューを作成するか否かを選択させることが示される選択画面を表示する選択画面表示機能を備え、ユーザ操作受付機能は、選択画面を介して、メニューを作成するか否かをユーザから受け付け、メニューデータ選択機能は、メニューを作成しないことがユーザ操作受付機能で受け付けられた場合は、第２形式のメニューデータ生成機能を選択し、第２のメニュー形式でメニューデータを生成させる。【００２８】
以下、コンテンツデータをコンテンツと略称し、メニューデータの代わりにメニューデータを含むメニューファイルを用いる。なお、メニューファイルを作成することによってメニューデータが生成されている。以上の点を踏まえて本実施の形態における記録再生装置について説明する。【００２９】
図１は、本実施の形態における記録再生装置の外観を示す斜視図である。図１に示されるように、記録再生装置１００は、音声・映像コンテンツを記録媒体１０に記録する機能を備える。また、記録媒体１０に記録されている音声・映像コンテンツを再生する機能を備える。【００３０】
図２は、本実施の形態における記録再生装置１００のハードウェア構成を示す図である。図２に示されるように、記録再生装置１００は、レンズ群１０１、撮像部１０２、Ａ／Ｄ変換部１０３、映像信号処理部１０４、圧縮多重部１０５、記録処理部１０６、ドライブ制御部１０８、入力部１０９、制御部１１０、画像生成部１１１、表示部１１２、映像信号処理部１１３、分離伸張部１１４、再生処理部１１５などを備える。【００３１】
レンズ群１０１は、複数の光学レンズから構成される。【００３２】
撮像部１０２は、撮像素子などから構成され、レンズ群１０１を介して入力された映像を撮像する。撮像した映像をアナログ信号としてＡ／Ｄ変換部１０３へ出力する。【００３３】
Ａ／Ｄ変換部１０３は、撮像部１０２から出力されたアナログ信号をデジタル信号に変換する。変換して得られたデジタル信号を映像信号処理部１０４へ出力する。【００３４】
映像信号処理部１０４は、Ａ／Ｄ変換部１０３から出力されたデジタル信号を映像信号に変換する。変換して得られた映像信号を圧縮多重部１０５へ出力する。【００３５】
圧縮多重部１０５は、映像信号処理部１０４から出力された映像信号を、ＭＰＥＧ−２やＨ．２６４などの符号化方法に基づいて、圧縮して多重する。多重して得られた映像信号をコンテンツとして記録処理部１０６へ出力する。【００３６】
記録処理部１０６は、圧縮多重部１０５から出力されたコンテンツを記録媒体１０に書き込む。【００３７】
ドライブ制御部１０８は、記録媒体１０を駆動するドライブ装置を制御する。【００３８】
入力部１０９は、入力デバイスを介してユーザ操作を受け付ける。受け付けたユーザ操作を操作情報として制御部１１０へ出力する。【００３９】
制御部１１０は、映像信号処理部１０４、圧縮多重部１０５、記録処理部１０６、ドライブ制御部１０８、画像生成部１１１、映像信号処理部１１３、分離伸張部１１４、再生処理部１１５を制御して、記録再生装置１００における記録処理、再生処理などを実行する。【００４０】
画像生成部１１１は、記録媒体１０に記録されているコンテンツが一覧できるメニュー画像を生成する。【００４１】
表示部１１２は、映像信号処理部１１３から出力された映像信号をモニタなどに表示する。【００４２】
映像信号処理部１１３は、分離伸張部１１４から出力された伸張後のコンテンツを映像信号に変換する。変換して得られた映像信号を表示部１１２へ出力する。また、必要に応じて画像生成部１１１が生成したメニュー画像などをそのまま、もしくは分離伸張部１１４から出力された伸張後のコンテンツに多重して、映像信号として表示部１１２へ出力する。【００４３】
分離伸張部１１４は、再生処理部１１５から出力されたコンテンツを、圧縮多重部１０５が施したＭＰＥＧ−２やＨ．２６４などの符号化方法に基づいて、分離して伸張する。伸張して得られたコンテンツを映像信号処理部１１３へ出力する。【００４４】
再生処理部１１５は、再生対象のコンテンツを記録媒体１０から読み出す。読み出したコンテンツを分離伸張部１１４へ出力する。【００４５】
図３は、本実施の形態における制御部１１０の機能構成を示す図である。図３に示されるように、制御部１１０は、ユーザ操作受付部１２１、ファイナライズ実行部１２２、メニュー画面表示部１２３、選択画面表示部１２４、警告画面表示部１２５、コンテンツ再生部１２６、メニューファイル検出部１２７、メニューファイル選択部１２８、標準形式のメニューファイル作成部１２９、簡易形式のメニューファイル作成部１３０、メニューファイル記録部１３１、モード判定部１３２などを備える。【００４６】
ユーザ操作受付部１２１は、ユーザ操作に関する操作情報を、入力部１０９を介して受け付ける。【００４７】
例えば、ユーザ操作受付部１２１は、メニュー表示処理を実行することが示される操作情報をユーザから受け付けた場合は、メニュー画面表示部１２３にメニューを表示するように指示する。そして、表示されたメニューの中からユーザが選択したコンテンツに対して、コンテンツ再生処理を実行することが示される操作情報をユーザから受け付けた場合は、コンテンツ再生部１２６にユーザが選択したコンテンツを再生するように指示する。【００４８】
このとき、メニュー画面表示部１２３は、記録媒体１０に記録されているメニューファイルから構成されたメニューを、表示部１１２を介して表示する。コンテンツ再生部１２６は、記録媒体１０に記録されている再生対象のコンテンツを読み出して再生する。【００４９】
また、ユーザ操作受付部１２１は、ファイナライズ処理を実行することが示される操作情報をユーザから受け付けた場合は、選択画面表示部１２４に選択画面（例えば、図４参照。）を表示するように指示し、ファイナライズ実行部１２２にファイナライズ処理を実行するように指示する。さらに、選択画面を介して、メニューを作成するか否かのいずれかが示される操作情報をユーザから受け付け、受け付けた操作情報をメニューファイル選択部１２８へ出力する。【００５０】
このとき、選択画面表示部１２４は、ファイナライズ処理が実行されるときに、メニューを作成するか否かをユーザに選択させることが示される選択画面（例えば、図４参照。）を、表示部１１２を介して表示する。ファイナライズ実行部１２２は、ファイナライズ処理を実行する。【００５１】
図４は、本実施の形態における選択画面の表示例を示す図である。図４に示されるように、選択画面表示部１２４は、ファイナライズ処理を実行するときに、ユーザにメニューを作成するか否かを選択させる選択画面１４０を、表示部１１２を介して表示する。そして、入力部１０９を介して、ユーザが選択した結果を受け付ける。このとき、記録再生装置１００は、ボタン１４２（はい）の選択を受け付けた場合は、標準形式のメニューを作成する。ボタン１４３（いいえ）の選択を受け付けた場合は、標準形式のメニューを作成する代わりに、簡易形式のメニューを作成する。【００５２】
続いて、図３に示されるように、メニューファイル選択部１２８は、メニューファイルを作成させるときに、ユーザ操作受付部１２１から受け取った操作情報と、メニューファイル検出部１２７から受け取った検出情報とに基づいて、標準形式のメニューファイル作成部１２９および簡易形式のメニューファイル作成部１３０のいずれかを選択し、選択した方にメニューファイルを作成するように指示する。【００５３】
このとき、メニューファイル検出部１２７は、記録再生装置１００に記録媒体１０が装着されたときに、記録媒体１０にメニューファイルが記録されているか否かを検出し、検出した結果を検出情報としてメニューファイル選択部１２８へ出力する。【００５４】
標準形式のメニューファイル作成部１２９は、メニューファイル選択部１２８からメニューファイルを作成するように指示されると、標準形式でメニューファイル（例えば、図７参照。）を作成する。標準形式で作成したメニューファイル（以下、標準形式のメニューファイルと呼称する。）をメニューファイル記録部１３１へ出力する。【００５５】
簡易形式のメニューファイル作成部１３０は、メニューファイル選択部１２８からメニューファイルを作成するように指示されると、標準形式で作成するよりも短時間で作成される簡易形式でメニューファイル（例えば、図９参照。）を作成する。簡易形式で作成したメニューファイル（以下、簡易形式のメニューファイルと呼称する。）をメニューファイル記録部１３１へ出力する。【００５６】
メニューファイル記録部１３１は、標準形式のメニューファイル作成部１２９から標準形式のメニューファイルが出力されると、出力された標準形式のメニューファイルをメニューファイルとして記録媒体１０に記録する。また、簡易形式のメニューファイル作成部１３０から簡易形式のメニューファイルが出力されると、出力された簡易形式のメニューファイルをメニューファイルとして記録媒体１０に記録する。【００５７】
例えば、メニューファイル選択部１２８は、下記（場合１）〜（場合３）のように、標準形式のメニューファイルを作成する必要がある場合は、標準形式のメニューファイル作成部１２９を選択する。一方、下記（場合４）〜（場合６）のように、標準形式のメニューファイルを作成する必要がなく、短時間でメニューファイルを作成する方が好ましい場合は、簡易形式のメニューファイル作成部１３０を選択する。【００５８】
（場合１）メニューファイル選択部１２８は、標準形式のメニューを作成することが示される操作情報をユーザ操作受付部１２１から受け取った場合は、標準形式のメニューファイル作成部１２９を選択する。このとき、ユーザ操作受付部１２１は、標準形式のメニューを作成することが示される操作情報をユーザから受け付け、受け付けた操作情報をメニューファイル選択部１２８へ出力する。【００５９】
（場合２）メニューファイル選択部１２８は、メニューを作成することが示される操作情報をユーザ操作受付部１２１から受け取った場合は、標準形式のメニューファイル作成部１２９を選択する。このとき、ユーザ操作受付部１２１は、メニューを作成することが示される操作情報をユーザから受け付け、受け付けた操作情報をメニューファイル選択部１２８へ出力する。【００６０】
（場合３）メニューファイル選択部１２８は、ファイナライズ処理を実行するときに、メニューを作成することが示される操作情報をユーザ操作受付部１２１から受け取った場合は、標準形式のメニューファイル作成部１２９を選択する。このとき、ユーザ操作受付部１２１は、ファイナライズ処理を実行するときに表示された選択画面を介して、メニューを作成することが示される操作情報をユーザから受け付け、受け付けた操作情報をメニューファイル選択部１２８へ出力する。【００６１】
（場合４）メニューファイル選択部１２８は、ファイナライズ処理を実行するときに、メニューを作成しないことが示される操作情報をユーザ操作受付部１２１から受け取った場合は、簡易形式のメニューファイル作成部１３０を選択する。このとき、ユーザ操作受付部１２１は、ファイナライズ処理を実行するときに表示された選択画面を介して、メニューを作成しないことが示される操作情報をユーザから受け付け、受け付けた操作情報をメニューファイル選択部１２８へ出力する。【００６２】
（場合５）メニューファイル選択部１２８は、メニューファイルが記録媒体１０に記録されていないことが示される検出情報をメニューファイル検出部１２７から受け取った場合は、簡易形式のメニューファイル作成部１３０を選択する。このとき、メニューファイル検出部１２７は、メニューファイルが記録媒体１０に記録されていないことを検出し、検出した結果を検出情報としてメニューファイル選択部１２８へ出力する。【００６３】
（場合６）メニューファイル選択部１２８は、録画処理や削除処理などを実行した後に記録媒体１０を排出するときに、ユーザ操作受付部１２１から受け取った操作情報と、メニューファイル検出部１２７から受け取った検出情報とに基づいて、記録媒体１０に記録されているメニューファイルに登録されているコンテンツと記録媒体１０に記録されているコンテンツとの対応に不一致が生じている場合は、簡易形式のメニューファイル作成部１３０を選択する。このとき、予め、メニューファイル検出部１２７は、メニューファイルが記録媒体１０に記録されていることを検出し、検出した結果を検出情報としてメニューファイル選択部１２８へ出力している。また、ユーザ操作受付部１２１は、予め、録画処理や削除処理などを実行することが示される操作情報をユーザから受け付け、受け付けた操作情報をメニューファイル選択部１２８へ出力している。その後に、ユーザ操作受付部１２１は、記録媒体１０を排出することが示される操作情報をユーザから受け付け、受け付けた操作情報をメニューファイル選択部１２８へ出力する。【００６４】
なお、上記（場合６）において、記録媒体１０を排出するときに代わり、録画処理や削除処理を実行するときとしてもよい。このとき、メニューファイル選択部１２８は、記録媒体１０を排出することが示される操作情報の代わりに、録画処理や削除処理を実行することが示される操作情報をユーザ操作受付部１２１から受け取ったときに、簡易形式のメニューファイル作成部１３０を選択する。これによって、録画処理や削除処理などが実行される度にメニューファイルを作成するが、排出時にメニューファイルを作成しなくなるので、排出時の処理を低減することができる。【００６５】
また、メニューファイル選択部１２８は、検出情報をメニューファイル検出部１２７から受け取ると、受け取った検出情報をユーザ操作受付部１２１とモード判定部１３２とへ出力する。【００６６】
このとき、ユーザ操作受付部１２１は、メニューファイルが作成されて記録媒体１０に記録された後に、録画処理や削除処理などのように、コンテンツを追記したり削除したりすることによって、メニューファイルに登録されているコンテンツと記録媒体１０に記録されているコンテンツとの対応に不一致が生じる場合は、警告画面表示部１２５に警告画面（例えば、図５参照。）を表示するように指示する。警告画面表示部１２５は、メニューが無効になることをユーザに警告する警告画面（例えば、図５参照。）を、表示部１１２を介して表示する。【００６７】
図５は、本実施の形態における警告画面の表示例を示す図である。図５に示されるように、メニューが作成された後に、コンテンツを記録媒体１０に追記する場合には、メニューが無効になることが示される警告画面１５０が、表示部１１２を介して表示される。【００６８】
また、図３に示されるように、モード判定部１３２は、メニューファイルが記録媒体１０に記録されているときに、撮影モードに遷移した場合は、警告画面表示部１２５に警告画面（例えば、図５参照。）を表示するように指示する。【００６９】
具体的には、モード判定部１３２は、記録再生装置１００の動作モードを示す操作情報がユーザ操作受付部１２１で受け付けられると、ユーザ操作受付部１２１で前回受け付けられたときに記憶した操作情報（動作モード）から、記録再生装置１００の現在の動作モードを特定する。また、ユーザ操作受付部１２１で今回受け付けられた操作情報（動作モード）を記憶する。そして、動作モードが遷移することによって、メニューファイルに登録されているコンテンツと記録媒体１０に記録されているコンテンツとの対応に不一致が生じる場合は、警告画面表示部１２５に警告画面（例えば、図５参照。）を表示するように指示する。【００７０】
例えば、記録再生装置１００が撮影モードと再生モードとの２種類の動作モードを有するとする。この場合において、再生モードから撮影モードに遷移するときに、モード判定部１３２は、ユーザ操作受付部１２１で前回受け付けられたときに記憶した操作情報（再生モード）から、記録再生装置１００の現在の動作モードが再生モードであると特定する。また、ユーザ操作受付部１２１で今回受け付けられた操作情報（撮影モード）を記憶する。さらに、再生モードから撮影モードに遷移することによって、メニューファイルに登録されているコンテンツと、新規コンテンツも含めて記録媒体１０に記録されているコンテンツとの対応に不一致が生じる。このため、警告画面表示部１２５に警告画面（例えば、図５参照。）を表示するように指示する。【００７１】
続いて、標準形式のメニューファイルと簡易形式のメニューファイルとについて説明する。ここでは、図６に示されるファイル構成で記録媒体１０に記録されている場合を例に説明する。【００７２】
図６は、本実施の形態における記録媒体１０に記録されているファイルの構成を示す図である。図６に示されるように、ここでは、一例として、コンテンツフォルダ（ＣＯＮＴＥＮＴＳ）には、インフォファイル１１（ｉｎｆｏ）、メニューファイル１２（ｍｅｎｕ）、プレイリストフォルダ（ＰＬＡＹＬＩＳＴ）、クリップインフォフォルダ（ＣＬＩＰＩＮＦ）、ストリームフォルダ（ＳＴＲＥＡＭ）などが格納されている。インフォファイル１１（ｉｎｆｏ）には、ディレクトリ全体の管理情報が含まれる。メニューファイル１２（ｍｅｎｕ）には、メニューを構成する情報などが含まれる。【００７３】
さらに、プレイリストフォルダ（ＰＬＡＹＬＩＳＴ）には、プレイリストファイル１３（０１００１．ｐｌｓｔ）などが格納されている。プレイリストファイル１３（０１００１．ｐｌｓｔ）には、コンテンツの再生順序に関する情報などが含まれる。【００７４】
また、クリップインフォフォルダ（ＣＬＩＰＩＮＦ）には、クリップインフォファイル１４（０１０００．ｃｌｐｉ）などが格納されている。クリップインフォファイル１４（０１０００．ｃｌｐｉ）には、時間情報と映像データとの位置を対応付け、部分再生、特殊再生を実現するタイムテーブルなどが含まれる。【００７５】
また、ストリームフォルダ（ＳＴＲＥＡＭ）には、ストリームファイル１５（０１０００．ｍ２ｔｓ）などが格納されている。ストリームファイル１５（０１０００．ｍ２ｔｓ）には、ＡＶストリームデータが含まれる。【００７６】
そして、制御部１１０は、再生処理の制御にあたって、プレイリストファイル１３、クリップインフォファイル１４、ストリームファイル１５の３種類のファイルを使用する。【００７７】
なお、プレイリストファイルには、再生したいクリップインフォファイルと再生時間が記載されている。このプレイリストファイルを再生すると、指示されたクリップインフォファイルが参照されて、そのタイムテーブルなどの情報を用いて指定されたストリームファイルが再生される。例えば、プレイリストファイル１３（０１００１．ｐｌｓｔ）には、クリップ（＃１）、クリップ（＃２）などの順に再生されることが示されている。このとき、クリップ（＃１）については、クリップインフォファイル（０１０００．ｃｌｐｉ）によって対応付けられているストリームファイル（０１０００．ｍ２ｔｓ）が再生される。クリップ（＃２）については、クリップインフォファイル（０２０００．ｃｌｐｉ）によって対応付けられているストリームファイル（０２０００．ｍ２ｔｓ）が再生される。【００７８】
図７は、本実施の形態における標準形式のメニューファイルのデータ構造を示す図である。図７に示されるように、メニューファイル１２ａは、記録媒体１０に記録されているコンテンツを、１以上のページに分けて一覧する標準形式のメニュー（例えば、図８参照。）を記述した標準形式のメニューファイルである。【００７９】
ここでは、一例として、メニューファイル１２ａには、先頭から順に、“Ｃ＆Ｇ＃１”、“Ｃ＆Ｇ＃２”、“Ｃ＆Ｇ＃３”、“Ｃ＆Ｇ＃４”、・・・のように、各プレイリストファイルと対応付けられた“Ｃ＆Ｇ”が含まれている。その後に、“Ｓｔｉｌｌ  Ｐｉｃｔｕｒｅ＃１”、“Ｓｔｉｌｌ  Ｐｉｃｔｕｒｅ＃２”、“Ｓｔｉｌｌ  Ｐｉｃｔｕｒｅ＃３”、“Ｓｔｉｌｌ  Ｐｉｃｔｕｒｅ＃４”、・・・のように、各“Ｃ＆Ｇ”と対応付けられた“Ｓｔｉｌｌ  Ｐｉｃｔｕｒｅ”が含まれている。なお、このとき、“Ｃ＆Ｇ”は、制御情報と画像情報とで構成されるデータである。“Ｓｔｉｌｌ  Ｐｉｃｔｕｒｅ”は、メニューの背景画像を符号化したデータである。また、背景画像を構成する画像、例えば、枠、ボタンなどについては、メニューの表示を制御するコマンドが対応付けられている。【００８０】
例えば、記録再生装置１００は、“Ｃ＆Ｇ＃１”に基づいて、プレイリストファイル（０１００１．ｐｌｓｔ）、プレイリストファイル（０２００２．ｐｌｓｔ）に記載されているクリップのサムネイル画像を背景画像に含む１ページ目のメニューを表示する。そして、この１ページ目のメニューが表示されている状態で、次のページのメニューを表示させる操作がユーザから受け付けられると、“Ｃ＆Ｇ＃１”の後続の“Ｃ＆Ｇ＃２”に対して同様の処理を実行する。そして、プレイリストファイル（１００００．ｐｌｓｔ）、プレイリストファイル（２００００．ｐｌｓｔ）に記載されているクリップのサムネイル画像を背景画像に含む２ページ目のメニューを表示する。以下、“Ｃ＆Ｇ＃３”、“Ｃ＆Ｇ＃４”についても同様である。【００８１】
図８は、本実施の形態における標準形式のメニューの画面表示例を示す図である。図８に示されるように、制御部１１０は、メニューファイル１２ａに従って再生すると、まず、“Ｃ＆Ｇ＃１”に基づいて、“Ｓｔｉｌｌ  Ｐｉｃｔｕｒｅ＃１”を背景画像に使用してメニュー画面１６０を表示する。すなわち、“開会式”、“玉投げ”などのサムネイル画像を６枚並べた背景画像が“Ｓｔｉｌｌ  Ｐｉｃｔｕｒｅ＃１”として符号化されており、ユーザ操作によって色・形などが変わる画像情報（例えば、Ｐａｇｅ２を示す矢印やサムネイル画像の選択有無を示す枠など）が制御情報とともに“Ｃ＆Ｇ＃１”に記録されている。そして、ユーザは、メニューの中から再生したいサムネイル画像を選択して再生操作を行うと、制御部１１０は、それに対応したプレイリストファイルを参照して、ストリームファイルを再生する。【００８２】
図９は、本実施の形態における簡易形式のメニューファイルのデータ構造を示す図である。図９に示されるように、メニューファイル１２ｂは、記録媒体１０に記録されているコンテンツを、順次自動再生する簡易形式のメニュー（例えば、図１０参照。）を記述した簡易形式のメニューファイルである。【００８３】
ここでは、一例として、メニューファイル１２ｂには、先頭から順に、“Ｃ＆Ｇ＃１”、“Ｃ＆Ｇ＃２”、“Ｃ＆Ｇ＃３”、“Ｃ＆Ｇ＃４”、・・・のように、“Ｃ＆Ｇ”のみが含まれている。なお、標準形式のメニューファイルのように、各“Ｃ＆Ｇ”と対応付けられた“Ｓｔｉｌｌ  Ｐｉｃｔｕｒｅ”については含まれていない。なお、このとき、“Ｃ＆Ｇ”は、メニューファイルに“Ｓｔｉｌｌ  Ｐｉｃｔｕｒｅ”が含まれないので、画像情報がなく制御情報のみで構成されるデータである。【００８４】
例えば、記録再生装置１００は、“Ｃ＆Ｇ＃１”に基づいて、プレイリストファイル（０１００１．ｐｌｓｔ）、プレイリストファイル（０２００２．ｐｌｓｔ）に記載されているクリップを順に再生する。そして、それが終わると、“Ｃ＆Ｇ＃１”の後続の“Ｃ＆Ｇ＃２”に対して同様の処理を実行する。そして、プレイリストファイル（１００００．ｐｌｓｔ）、プレイリストファイル（２００００．ｐｌｓｔ）に記載されているクリップを順に再生する。以下、“Ｃ＆Ｇ＃３”、“Ｃ＆Ｇ＃４”についても同様である。【００８５】
図１０は、本実施の形態におけるメニューファイルによって記録媒体１０に記録されているコンテンツを順に再生する様子を示す概要図である。図１０に示されるように、例えば、コンテンツ１７１（開会式）、コンテンツ１７２（玉投げ）、コンテンツ１７３（玉転がし）、コンテンツ１７４（パン食い競争）、コンテンツ１７５（徒競争）、コンテンツ１７６（１着）が記録媒体１０に記録されているとする。このとき、デフォルト状態では、メニューファイルには、コンテンツ１７１〜１７６のそれぞれに対応する“Ｃ＆Ｇ＃１〜＃６”が含まれる。さらに、“Ｃ＆Ｇ＃１〜＃６”は、制御情報のみで構成されているとする。そして、制御部１１０は、このメニューファイルに従って、コンテンツ１７１〜１７６を順に再生する。【００８６】
このように、標準形式のメニューを作成する代わりに、簡易形式のメニューを作成するので、メニューファイルの生成に掛かる時間が短縮される。特に、簡易形式のメニューを作成するにあたって、標準形式のメニューの背景画像である“Ｓｔｉｌｌ  Ｐｉｃｔｕｒｅ＃１”など（図９において破線で示されている部分。）を生成し、符号化して記録する必要がないので、メニューファイルを生成する時間が掛からない。【００８７】
ここで、標準形式のメニューの最後の背景画像にサムネイル画像が3枚だけ入っている場合を例に説明する。この場合において、コンテンツが追加されると、記録媒体１０に記録されているコンテンツと対応させるために、その背景画像をサムネイル画像が４枚入った背景画像に作り直す必要がある。しかし、その背景画像を作り直すときに、図７に示される“Ｓｔｉｌｌ  Ｐｉｃｔｕｒｅ”を再符号化する処理が必要になる。このため、簡易形式のメニューファイルと比べて、標準形式のメニューファイルの作成に要する時間が長くなり、他の処理や操作に与える影響が大きくなる。【００８８】
また、記録媒体１０を排出するときに標準形式のメニューファイルを作成すれば、作成が終了するまで記録媒体１０を排出することができず、排出に時間が掛かりすぎることになる。このため、コンテンツの追加や削除などに伴い、標準形式のメニューファイルを作成していては、操作性が著しく損なわれる。【００８９】
そこで、記録再生装置１００は、短時間でメニューファイルを作成する必要があるときは、簡易形式のメニューファイルを作成する。これによって、背景画像を作り直すことが避けられるので、標準形式のメニューファイルを作成する場合と比べて、他の処理や操作に与える影響を小さくすることができ、操作性が良くなる。【００９０】
また、コンテンツを記録した後に、そのコンテンツを削除する場合などのように、必ずしもメニューファイルを作成し直す必要があるとは限らない場合もある。このような場合において、コンテンツが記録されたり削除されたりする度に、標準形式のメニューファイルを作成していては、他の操作や処理に大きな影響を与える。さらに、標準形式のメニューファイルの代わりに、簡易形式のメニューファイルを作成し、作成した簡易形式のメニューファイルで標準形式のメニューファイルを置き換える必要もない。【００９１】
そこで、記録再生装置１００は、メニューファイルを作成し直す必要がある場合は、警告画面（例えば、図５参照。）を表示することで、他の操作や処理に与える影響を小さくすると共に、ユーザの判断に委ねて柔軟な使い方をユーザに提供する。【００９２】
なお、コンテンツの追加や削除などに伴い、簡易形式のメニューファイルを作成する代わりに、メニューファイルを削除するとしてもよいし、メニューファイルを無効化するとしてもよい。これによっても、操作性の面では改善を図ることができる。ただし、他の再生装置で再生する場合において、互換性が維持されていなければ、同じ再生処理が実行されるとは限らない。【００９３】
例えば、メニューファイルが記録されていないときの処理が記録再生装置１００と他の再生装置とで異なれば、同じ再生処理が実行されるとは限らない。しかし、簡易形式のメニューファイルを作成する場合は、他の再生装置で再生する場合でも、メニューファイルが記録されているときの処理として扱われるので、同じ再生処理が実行される。ただし、メニューファイルが無効化されているときは、正常に再生処理が実行されるとは限らない。【００９４】
続いて、以上のように構成されている記録再生装置１００の動作について説明する。【００９５】
図１１は、本実施の形態における制御部１１０において実行されるメニュー作成処理を示す図である。図１２〜図１５は、本実施の形態における制御部１１０において実行されるユーザ操作待ち処理を示す図である。なお、これらの図においては、装着された記録媒体の種別を示す媒体種別フラグが制御部１１０に設けられているものとする。媒体種別フラグは、リライタブルフラグ及びライトワンスフラグを有する。そして、リライタブル型の記録媒体が装着された場合は、リライタブルフラグが１に、ライトワンスフラグが０にセットされる。ライトワンス型の記録媒体が装着された場合は、リライタブルフラグが０に、ライトワンスフラグが１にセットされる。それ以外の場合は、ともに０にセットされる。【００９６】
記録再生装置１００の電源が入って初期化された後、もしくは記録媒体が排出された後に、図１１に示されるように、メニュー作成処理が開始される。この時点では、媒体種別フラグは、全て０にセットされている。まず、制御部１１０は、記録再生装置１００に記録媒体が装着されたか否かを判定する（Ｓ１０１）。判定した結果、装着された場合は（Ｓ１０１：Ｙｅｓ）、装着された記録媒体がリライタブル型の記録媒体であるか否かを判定する（Ｓ１０２）。判定した結果、リライタブル型の記録媒体である場合は（Ｓ１０２：Ｙｅｓ）、媒体種別フラグのリライタブルフラグを１にセットしたのち（Ｓ１０３）、メニューファイルが記録媒体に記録されているか否かを判定する（Ｓ１０４）。判定した結果、メニューファイルが記録媒体に記録されていない場合は（Ｓ１０４：Ｎｏ）、簡易形式のメニューファイルを作成する（Ｓ１０５）。作成した簡易形式のメニューファイルを記録媒体に書き込む（Ｓ１０６）。その後、メニュー作成処理を終了し、続いて、図１２〜図１５に示されるユーザ操作待ち処理を開始する。なお、メニューファイルが記録媒体に記録されている場合は（Ｓ１０４：Ｙｅｓ）、そのままメニュー作成処理を終了し、図１２〜図１５に示されるユーザ操作待ち処理を開始する。【００９７】
一方、制御部１１０は、リライタブル型の記録媒体でない場合は（Ｓ１０２：Ｎｏ）、装着された記録媒体がライトワンス型の記録媒体であるか否かを判定する（Ｓ１０７）。判定した結果、ライトワンス型の記録媒体である場合は（Ｓ１０７：Ｙｅｓ）、媒体種別フラグのライトワンスフラグを１にセットしたのち（Ｓ１０８）、メニュー作成処理を終了し、続いて、図１２〜図１５に示されるユーザ操作待ち処理を開始する。なお、ライトワンス型の記録媒体でない場合は（Ｓ１０７：Ｎｏ）、そのままメニュー作成処理を終了し、図１２〜図１５に示されるユーザ操作待ち処理を開始する。【００９８】
そして、図１２に示されるように、制御部１１０は、まず、ユーザからの操作を待ち受ける状態になる（Ｓ１１１）。ユーザからの操作があると（Ｓ１１１：Ｙｅｓ）、媒体種別フラグの値を確認する（Ｓ１１２）。確認した結果、リライタブルフラグが１であり、かつライトワンスフラグが０であるとする。すなわち、リライタブル型の記録媒体が装着されたとする。この場合において、ユーザ操作によって録画指示を受け付けると（Ｓ１１３：録画指示）、図１３に示されるように、まず、メニューファイルが記録媒体に記録されているか否かを判定する（Ｓ１２１）。【００９９】
制御部１１０は、判定した結果、メニューファイルが記録されている場合は（Ｓ１２１：Ｙｅｓ）、警告画面を介して、メニューが無効になることを警告する（Ｓ１２２）。さらに、警告に対して、ユーザがメニュー無効化を承諾した場合は（Ｓ１２３：Ｙｅｓ）、その後、メニューファイルを無効化し（Ｓ１２４）、簡易形式のメニューファイルを作成し、作成した簡易形式のメニューファイルでメニューファイルを書き換える（Ｓ１２５）。その後、通常の録画処理を行い（Ｓ１２６）、ユーザ操作待ち処理を終了し、次のユーザ操作待ち処理を開始する。【０１００】
ここで、録画指示としては、実際に録画ボタンを押す操作だけではなく、撮影モードへ移行する操作としてもよい。カメラ一体型の記録再生装置においては、カメラ撮影をするための撮影モードと、コンテンツ再生をするための再生モードとを切り替える操作を要するものもある。さらに、このような装置においては、再生モードから撮影モードへの切り替え操作によって、以前記録していたメニューファイルが無効化される恐れがある旨を警告するとしてもよい。【０１０１】
また、図１２に示されるように、制御部１１０は、ユーザ操作によってメニュー作成指示を受け付けると（Ｓ１１３：メニュー作成指示）、図１４に示されるように、標準形式のメニューファイルを作成し（Ｓ１３１）、作成した標準形式のメニューファイルを記録媒体に書き込む（Ｓ１３２）。その後、ユーザ操作待ち処理を終了し、次のユーザ操作待ち処理を開始する。【０１０２】
また、図１２に示されるように、制御部１１０は、確認した結果、リライタブルフラグが０であり、かつライトワンスフラグが１であるとする。すなわち、ライトワンス型の記録媒体が装着されたとする。この場合において、ユーザ操作によってファイナライズ指示を受け付けると（Ｓ１１４：ファイナライズ指示）、図１５に示されるように、まず、メニューを作成するか否かをユーザに選択させる選択画面を表示する（Ｓ１４１）。選択した結果をユーザから受け付け、メニューの作成が選択されたか否かを判定する（Ｓ１４２）。判定した結果、メニューの作成が選択された場合は（Ｓ１４２：Ｙｅｓ）、標準形式のメニューファイルを作成する（Ｓ１４３）。一方、メニューの作成が選択されなかった場合は（Ｓ１４２：Ｎｏ）、簡易形式のメニューファイルを作成する（Ｓ１４４）。そして、作成したメニューファイルを記録媒体に記録したのち（Ｓ１４５）、ファイナライズ処理を行い（Ｓ１４６）、ユーザ操作待ち処理を終了し、次のユーザ操作待ち処理を開始する。【０１０３】
以上、本実施の形態における記録再生装置１００によれば、メニューファイル生成に処理時間の短さが要求される状況においてはメニュー画像を省略してコンテンツを順次再生する簡易形式のメニューファイルを作成する。これによって、メニューファイル生成処理を軽減した記録再生装置を実現することができる。また、録画操作により以前に記録されていたメニューファイルが無効になる場合は、前もって警告を表示する。これによって、意図しないメニューファイルの無効化を避けることができる。【０１０４】
（その他）
なお、リライタブル型の記録媒体については、ファイナライズという操作は必要ないが、ライトワンス型の記録媒体を用いる場合と操作性を共通にするために、擬似的にファイナライズ状態を設けることも可能である。これに対して、例えば、図１４に示されるメニューファイル作成指示による処理（Ｓ１３１，Ｓ１３２）の代わりに、図１５に示される処理（Ｓ１４１〜Ｓ１４６）を実行する。メニューファイルを記録した後に行う実際のファイナライズ処理としてリライタブル型記録媒体上にファイナライズフラグを設けてファイナライズ処理の有無を示す。これによって、擬似的なファイナライズ状態を保存することができる。【０１０５】
なお、本実施の形態においては、簡易形式のメニューとして、コンテンツを順次再生するメニューとして説明した。しかし、背景画像を“Ｓｔｉｌｌ  Ｐｉｃｔｕｒｅ”として符号化する操作が省略できればよい。そこで、例えば、コンテンツを順次再生する代わりに、Ｃ＆Ｇのみで簡略に作成可能な範囲で表示し、ユーザの選択操作を経てコンテンツを再生するようなメニューとしてもよい。また、コンテンツの録画開始時刻のみを一覧表に示して選択させるようなＣ＆Ｇからなるメニューファイルを作成するとしてもよい。【０１０６】
なお、本実施の形態においては、標準形式のメニューと簡易形式のメニューとの２種類のメニューを例に説明したが、これら２種類のメニューに限定される訳ではない。例えば、複数種類のメニュー形式の中から、ユーザによって適宜選択されたメニューの形式で、記録媒体に記録されているコンテンツのメニューを構成するとする。この場合において、メニューファイルを作成する必要がある場合は、ユーザから特定のメニューの形式が指定されない限り、短時間でメニューファイルが作成されるメニュー形式が自動的に選択され、選択されたメニュー形式でメニューファイルが作成されるとしてもよい。言い換えれば、標準形式のメニューと、標準形式のメニューよりも作成時間を要する拡張形式のメニューしか提供されない場合は、標準形式のメニューが自動的に選択されることになる。【０１０７】
また、予めユーザが設定したメニュー形式が特定される情報を記憶しておき、その情報に基づいて、予めユーザが設定したメニュー形式が自動的に選択され、選択されたメニュー形式でメニューファイルが作成されるとしてもよい。【０１０８】
なお、（ａ）可搬性の記録媒体に記録されているコンテンツデータのメニューを構成するメニューデータを記録媒体に記録するメニューデータ記録機能と、（ｂ）記録媒体に記録されるメニューデータを生成するメニューデータ生成機能と、（ｃ）記録媒体に記録されているメニューデータを削除するメニューデータ削除機能と、（ｄ）メニューデータ生成機能およびメニューデータ削除機能のいずれかを選択し、メニューデータを生成させるか削除させるかを選択するメニューデータ選択機能とを備えるとしてもよい。【０１０９】
すなわち、簡易形式のメニューファイルを作成する代わりに、標準形式のメニューファイルを削除するとしてもよい。【０１１０】
例えば、記録再生装置１００は、制御部１１０の代わりに、図１６に示される制御部２１０を備えるとしてもよい。このとき、メニューファイル選択部２２８は、メニューファイル作成部２２９およびメニューファイル削除部２３０のいずれかを選択する。【０１１１】
例えば、メニューファイル選択部２２８は、メニューファイルを作成させるときは、メニューファイル作成部２２９を選択し、メニューファイルを作成させる。これに伴い、メニューファイル作成部２２９は、標準形式でメニューファイルを作成し、標準形式で作成したメニューファイルをメニューファイル記録部１３１へ出力する。メニューファイル記録部１３１は、メニューファイル作成部２２９から出力されたメニューファイルを記録媒体１０に記録する。【０１１２】
一方、メニューファイル選択部２２８は、メニューファイルを削除させるときは、メニューファイル削除部２３０を選択し、メニューファイルを削除させる。これに伴い、メニューファイル削除部２３０は、記録媒体１０に記録されているメニューファイルを削除する。【０１１３】
すなわち、記録媒体の装着時や録画指示受付時などに、常にメニューファイルの有無が確認され適宜処理されることを前提にメニューファイルを書き換える代わりに、メニューファイルを削除するようにしてもよい。この場合は、先に述べたように、他の再生装置で同じ再生処理が実行されるとは限らないが、メニューを作成するための時間を省略することができる。【０１１４】
なお、本発明に係わる記録再生装置１００は、ＣＰＵ（Central Processing Unit）、システムＬＳＩ（Large Scale Integration）、ＲＡＭ（Random Access Memory）、ＲＯＭ（Read Only Memory）、ＨＤＤ（Hard Disk Drive）、ネットワークインターフェースなどを備えるとしてもよい。さらに、ＤＶＤ−ＲＡＭ、Ｂｌｕ−ｒａｙディスク、ＳＤ（Secure Digital）メモリカードのような可搬性の記録媒体に対して読み書き可能なドライブ装置を備えるとしてもよい。【０１１５】
なお、記録再生装置１００は、デジタルビデオカメラ、デジタルレコーダ、デジタルテレビ、ゲーム機、ＩＰ電話機、携帯電話機などのような組み込みシステムとしてもよい。【０１１６】
さらに、ＨＤＤまたはＲＯＭなどに、記録再生装置１００を制御するプログラム（以下、記録再生プログラムと呼称する。）がインストールされており、記録再生プログラムが実行されることによって、記録再生装置１００の各機能が実現されるとしてもよい。【０１１７】
なお、記録再生プログラムは、コンピュータシステム、組み込みシステムなどのようなハードウェアシステムに読み取り可能な記録媒体に記録されているとしてもよい。さらに、記録媒体を介して他のハードウェアシステムに読み出されて実行されるとしてもよい。これによって、記録再生装置１００の各機能を他のハードウェアシステムに実現することができる。ここで、コンピュータシステム読み取り可能な記録媒体として、光学記録媒体（例えば、ＣＤ−ＲＯＭなど。）、磁気記録媒体（例えば、ハードディスクなど。）、光磁気記録媒体（例えば、ＭＯなど。）、半導体メモリ（例えば、メモリカードなど。）などがある。【０１１８】
また、記録再生プログラムは、インターネット、ローカルエリアネットワークなどのようなネットワークに接続されているハードウェアシステムに保持されているとしてもよい。さらに、ネットワークを介して他のハードウェアシステムにダウンロードされて実行されるとしてもよい。これによって、記録再生装置１００の各機能を他のハードウェアシステムに実現することができる。ここで、ネットワークとして、地上放送網、衛星放送網、ＰＬＣ（Power Line Communication）、移動電話網、有線通信網（例えば、ＩＥＥＥ８０２．３など。）、無線通信網（例えば、ＩＥＥＥ８０２．１１など。）がある。【０１１９】
または、記録再生装置１００に実装される記録再生回路によって、記録再生装置１００の各機能が実現されるとしてもよい。【０１２０】
なお、記録再生回路は、フルカスタムＬＳＩ、ＡＳＩＣ（Application Specific Integrated Circuit）などのようなセミカスタムＬＳＩ、ＦＰＧＡ（Field Programmable Gate Array）やＣＰＬＤ（Complex Programmable Logic Device）などのようなプログラマブル・ロジック・デバイス、動的に回路構成が書き換え可能なダイナミック・リコンフィギュラブル・デバイスに形成されるとしてもよい。【０１２１】
さらに、記録再生装置１００の各機能を記録再生回路に形成する設計データは、ハードウェア記述言語によって記述されたプログラム（以下、ＨＤＬプログラムと呼称する。）としてもよい。さらに、ＨＤＬプログラムを論理合成して得られるゲート・レベルのネットリストとしてもよい。また、ゲート・レベルのネットリストに、配置情報、プロセス条件等を付加したマクロセル情報としてもよい。また、寸法、タイミング等が規定されたマスクデータとしてもよい。ここで、ハードウェア記述言語として、ＶＨＤＬ（Very high speed integrated circuit Hardware Description Language）、Ｖｅｒｉｌｏｇ−ＨＤＬ、ＳｙｓｔｅｍＣなどがある。【０１２２】
さらに、設計データは、コンピュータシステム、組み込みシステムなどのようなハードウェアシステムに読み取り可能な記録媒体に記録されているとしてもよい。さらに、記録媒体を介して他のハードウェアシステムに読み出されて実行されるとしてもよい。そして、これらの記録媒体を介して他のハードウェアシステムに読み取られた設計データが、ダウンロードケーブルを介して、プログラマブル・ロジック・デバイスにダウンロードされるとしてもよい。【０１２３】
または、設計データは、インターネット、ローカルエリアネットワークなどのようなネットワークに接続されているハードウェアシステムに保持されているとしてもよい。さらに、ネットワークを介して他のハードウェアシステムにダウンロードされて実行されるとしてもよい。そして、これらのネットワークを介して他のハードウェアシステムに取得された設計データが、ダウンロードケーブルを介して、プログラマブル・ロジック・デバイスにダウンロードされるとしてもよい。【０１２４】
または、設計データは、通電時にＦＰＧＡに転送され得るように、シリアルＲＯＭに記録しておくとしてもよい。そして、シリアルＲＯＭに記録された設計データは、通電時に、直接、ＦＰＧＡにダウンロードされるとしてもよい。【０１２５】
または、設計データは、通電時に、マイクロプロセッサによって生成されて、ＦＰＧＡにダウンロードされるとしてもよい。
【産業上の利用可能性】
【０１２６】
本発明は、可搬性の記録媒体に音声や映像を記録し、記録した音声や映像を再生する記録再生装置などとして、特に、半導体メモリや光ディスク等の記録媒体にＡＶデータを記録するとともに、必要に応じてメニュー画面を表示するためのメニュー情報を記録するビデオカメラなどとして、利用することができる。
【図１】
2007108345.tif 000003
【図２】
2007108345.tif 000004
【図３】
2007108345.tif 000005
【図４】
2007108345.tif 000006
【図５】
2007108345.tif 000007
【図６】
2007108345.tif 000008
【図７】
2007108345.tif 000009
【図８】
2007108345.tif 000010
【図９】
2007108345.tif 000011
【図１０】
2007108345.tif 000012
【図１１】
2007108345.tif 000013
【図１２】
2007108345.tif 000014
【図１３】
2007108345.tif 000015
【図１４】
2007108345.tif 000016
【図１５】
2007108345.tif 000017
【図１６】
2007108345.tif 000018
【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
可搬性の記録媒体に記録されているコンテンツデータのメニューを構成するメニューデータを前記記録媒体に記録するメニューデータ記録手段と、
第１のメニュー形式で前記メニューデータを生成する第１形式のメニューデータ生成手段と、
前記第１のメニュー形式で生成するよりも短時間で生成される第２のメニュー形式で前記メニューデータを生成する第２形式のメニューデータ生成手段と、
前記第１形式のメニューデータ生成手段および前記第２形式のメニューデータ生成手段のいずれかを選択し、前記第１のメニュー形式および前記第２のメニュー形式のいずれで前記メニューデータを生成させるかを選択するメニューデータ選択手段と
を備えることを特徴とする記録再生装置。
【請求項２】
前記第１形式のメニューデータ生成手段は、背景画像を含む前記第１のメニュー形式で前記メニューデータを生成し、
前記第２形式のメニューデータ生成手段は、背景画像を含まない前記第２のメニュー形式で前記メニューデータを生成する
ことを特徴とする請求項１に記載の記録再生装置。
【請求項３】
前記記録再生装置は、さらに、前記記録媒体が装着されたときに、前記メニューデータが前記記録媒体に記録されているか否かを検出するメニューデータ検出手段を備え、
前記メニューデータ選択手段は、前記メニューデータが前記記録媒体に記録されていないと前記メニューデータ検出手段で検出された場合は、前記第２形式のメニューデータ生成手段を選択し、前記第２のメニュー形式で前記メニューデータを生成させる
ことを特徴とする請求項１に記載の記録再生装置。
【請求項４】
前記メニューデータ選択手段は、前記記録媒体が排出されるときに、前記メニューデータに登録されているコンテンツデータと、前記記録媒体に記録されているコンテンツデータとの対応に不一致が生じている場合は、前記第２形式のメニューデータ生成手段を選択し、前記第２のメニュー形式で前記メニューデータを生成させる
ことを特徴とする請求項１に記載の記録再生装置。
【請求項５】
前記メニューデータ選択手段は、新規コンテンツデータの記録開始および記録終了のいずれかのときに、前記第２形式のメニューデータ生成手段を選択し、前記第２のメニュー形式で前記メニューデータを生成させる
ことを特徴とする請求項１に記載の記録再生装置。
【請求項６】
前記記録再生装置は、さらに、前記新規コンテンツデータを記録する状態に遷移したとき、および前記新規コンテンツデータの記録開始のときのいずれかのときに、前記メニューデータが前記記録媒体に記録されている場合は、前記メニューが無効になることを警告する警告画面を表示する警告画面表示手段
を備えることを特徴とする請求項５に記載の記録再生装置。
【請求項７】
前記記録再生装置は、ビデオカメラであって、
前記新規コンテンツデータを記録する状態は、前記ビデオカメラにおける撮影モードである
ことを特徴とする請求項６に記載の記録再生装置。
【請求項８】
前記記録再生装置は、さらに、前記メニューを作成するか否かをユーザから受け付けるユーザ操作受付手段を備え、
前記メニューデータ選択手段は、前記メニューを作成することが前記ユーザ操作受付手段で受け付けられた場合は、前記第１形式のメニューデータ生成手段を選択し、前記第１のメニュー形式で前記メニューデータを生成させる
ことを特徴とする請求項１に記載の記録再生装置。
【請求項９】
前記記録再生装置は、さらに、前記記録媒体に対してファイナライズ処理を行うときに、前記メニューを作成するか否かを選択させることが示される選択画面を表示する選択画面表示手段を備え、
前記ユーザ操作受付手段は、前記選択画面を介して、前記メニューを作成するか否かを前記ユーザから受け付け、
前記メニューデータ選択手段は、前記メニューを作成しないことが前記ユーザ操作受付手段で受け付けられた場合は、前記第２形式のメニューデータ生成手段を選択し、前記第２のメニュー形式で前記メニューデータを生成させる
ことを特徴とする請求項８に記載の記録再生装置。
【請求項１０】
可搬性の記録媒体に記録されているコンテンツデータのメニューを構成するメニューデータを前記記録媒体に記録するメニューデータ記録手段と、
前記記録媒体に記録される前記メニューデータを生成するメニューデータ生成手段と、
前記記録媒体に記録されている前記メニューデータを削除するメニューデータ削除手段と、
前記メニューデータ生成手段および前記メニューデータ削除手段のいずれかを選択し、前記メニューデータを生成させるか削除させるかを選択するメニューデータ選択手段と
を備えることを特徴とする記録再生装置。
【請求項１１】
前記メニューデータ選択手段は、前記記録媒体が排出されるときに、前記メニューデータに登録されているコンテンツデータと、前記記録媒体に記録されているコンテンツデータとの対応に不一致が生じている場合は、前記メニューデータ削除手段を選択し、前記メニューデータを削除させる
ことを特徴とする請求項１０に記載の記録再生装置。
【請求項１２】
前記メニューデータ選択手段は、新規コンテンツデータの記録開始および記録終了のいずれかのときに、前記メニューデータ削除手段を選択し、前記メニューデータを削除させる
ことを特徴とする請求項１０に記載の記録再生装置。
【請求項１３】
前記記録再生装置は、さらに、前記新規コンテンツデータを記録する状態に遷移したとき、および前記新規コンテンツデータの記録開始のときのいずれかのときに、前記メニューデータが前記記録媒体に記録されている場合は、前記メニューが無効になることを警告する警告画面を表示する警告画面表示手段
を備えることを特徴とする請求項１２に記載の記録再生装置。
【請求項１４】
前記記録再生装置は、ビデオカメラであって、
前記新規コンテンツデータを記録する状態は、前記ビデオカメラにおける撮影モードである
ことを特徴とする請求項１３に記載の記録再生装置。
【請求項１５】
前記記録再生装置は、さらに、前記メニューを作成するか否かをユーザから受け付けるユーザ操作受付手段を備え、
前記メニューデータ選択手段は、前記メニューを作成することが前記ユーザ操作受付手段で受け付けられた場合は、前記メニューデータ生成手段を選択し、前記メニューデータ
を生成させる
ことを特徴とする請求項１０に記載の記録再生装置。
【請求項１６】
前記記録再生装置は、さらに、前記記録媒体に対してファイナライズ処理を行うときに、前記メニューを作成するか否かを選択させることが示される選択画面を表示する選択画面表示手段を備え、
前記ユーザ操作受付手段は、前記選択画面を介して、前記メニューを作成するか否かをユーザから受け付け、
前記メニューデータ選択手段は、前記メニューを作成しないことが前記ユーザ操作受付手段で受け付けられた場合は、前記メニューデータ削除手段を選択し、前記メニューデータを削除させる
ことを特徴とする請求項１５に記載の記録再生装置。
【請求項１７】
可搬性の記録媒体に記録されているコンテンツデータのメニューを構成するメニューデータを前記記録媒体に記録するメニューデータ記録ステップと、
第１のメニュー形式で前記メニューデータを生成する第１形式のメニューデータ生成ステップと、
前記第１のメニュー形式で生成するよりも短時間で生成される第２のメニュー形式で前記メニューデータを生成する第２形式のメニューデータ生成ステップと、
前記第１形式のメニューデータ生成ステップおよび前記第２形式のメニューデータ生成ステップのいずれかを選択し、前記第１のメニュー形式および前記第２のメニュー形式のいずれで前記メニューデータを生成させるかを選択するメニューデータ選択ステップと
を含むことを特徴とする記録再生方法。
【請求項１８】
可搬性の記録媒体に記録されているコンテンツデータのメニューを構成するメニューデータを前記記録媒体に記録するメニューデータ記録ステップと、
第１のメニュー形式で前記メニューデータを生成する第１形式のメニューデータ生成ステップと、
前記第１のメニュー形式で生成するよりも短時間で生成される第２のメニュー形式で前記メニューデータを生成する第２形式のメニューデータ生成ステップと、
前記第１形式のメニューデータ生成ステップおよび前記第２形式のメニューデータ生成ステップのいずれかを選択し、前記第１のメニュー形式および前記第２のメニュー形式のいずれで前記メニューデータを生成させるかを選択するメニューデータ選択ステップと
をコンピュータシステムに実行させることを特徴とする記録再生プログラム。
【請求項１９】
可搬性の記録媒体に記録されているコンテンツデータのメニューを構成するメニューデータを前記記録媒体に記録するメニューデータ記録手段と、
第１のメニュー形式で前記メニューデータを生成する第１形式のメニューデータ生成手段と、
前記第１のメニュー形式で生成するよりも短時間で生成される第２のメニュー形式で前記メニューデータを生成する第２形式のメニューデータ生成手段と、
前記第１形式のメニューデータ生成手段および前記第２形式のメニューデータ生成手段のいずれかを選択し、前記第１のメニュー形式および前記第２のメニュー形式のいずれで前記メニューデータを生成させるかを選択するメニューデータ選択手段と
を備えることを特徴とする集積回路。
【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
可搬性の記録媒体に記録されているコンテンツデータのメニューを構成するメニューデータを前記記録媒体に記録するメニューデータ記録手段と、
第１のメニュー形式で前記メニューデータを生成する第１形式のメニューデータ生成手段と、
前記第１のメニュー形式で生成するよりも短時間で生成される第２のメニュー形式で前記メニューデータを生成する第２形式のメニューデータ生成手段と、
前記第１形式のメニューデータ生成手段および前記第２形式のメニューデータ生成手段のいずれかを選択し、前記第１のメニュー形式および前記第２のメニュー形式のいずれで前記メニューデータを生成させるかを選択するメニューデータ選択手段と
を備えることを特徴とする記録再生装置。
【請求項２】
前記第１形式のメニューデータ生成手段は、背景画像を含む前記第１のメニュー形式で前記メニューデータを生成し、
前記第２形式のメニューデータ生成手段は、背景画像を含まない前記第２のメニュー形式で前記メニューデータを生成する
ことを特徴とする請求項１に記載の記録再生装置。
【請求項３】
前記記録再生装置は、さらに、前記記録媒体が装着されたときに、前記メニューデータが前記記録媒体に記録されているか否かを検出するメニューデータ検出手段を備え、
前記メニューデータ選択手段は、前記メニューデータが前記記録媒体に記録されていないと前記メニューデータ検出手段で検出された場合は、前記第２形式のメニューデータ生成手段を選択し、前記第２のメニュー形式で前記メニューデータを生成させる
ことを特徴とする請求項１に記載の記録再生装置。
【請求項４】
前記メニューデータ選択手段は、前記記録媒体が排出されるときに、前記メニューデータに登録されているコンテンツデータと、前記記録媒体に記録されているコンテンツデータとの対応に不一致が生じている場合は、前記第２形式のメニューデータ生成手段を選択し、前記第２のメニュー形式で前記メニューデータを生成させる
ことを特徴とする請求項１に記載の記録再生装置。
【請求項５】
前記メニューデータ選択手段は、新規コンテンツデータの記録開始および記録終了のいずれかのときに、前記第２形式のメニューデータ生成手段を選択し、前記第２のメニュー形式で前記メニューデータを生成させる
ことを特徴とする請求項１に記載の記録再生装置。
【請求項６】
前記記録再生装置は、さらに、前記新規コンテンツデータを記録する状態に遷移したとき、および前記新規コンテンツデータの記録開始のときのいずれかのときに、前記メニューデータが前記記録媒体に記録されている場合は、前記メニューが無効になることを警告する警告画面を表示する警告画面表示手段
を備えることを特徴とする請求項５に記載の記録再生装置。
【請求項７】
前記記録再生装置は、ビデオカメラであって、
前記新規コンテンツデータを記録する状態は、前記ビデオカメラにおける撮影モードである
ことを特徴とする請求項６に記載の記録再生装置。
【請求項８】
前記記録再生装置は、さらに、前記メニューを作成するか否かをユーザから受け付けるユーザ操作受付手段を備え、
前記メニューデータ選択手段は、前記メニューを作成することが前記ユーザ操作受付手段で受け付けられた場合は、前記第１形式のメニューデータ生成手段を選択し、前記第１のメニュー形式で前記メニューデータを生成させる
ことを特徴とする請求項１に記載の記録再生装置。
【請求項９】
前記記録再生装置は、さらに、前記記録媒体に対してファイナライズ処理を行うときに、前記メニューを作成するか否かを選択させることが示される選択画面を表示する選択画面表示手段を備え、
前記ユーザ操作受付手段は、前記選択画面を介して、前記メニューを作成するか否かを前記ユーザから受け付け、
前記メニューデータ選択手段は、前記メニューを作成しないことが前記ユーザ操作受付手段で受け付けられた場合は、前記第２形式のメニューデータ生成手段を選択し、前記第２のメニュー形式で前記メニューデータを生成させる
ことを特徴とする請求項８に記載の記録再生装置。
【請求項１０】
可搬性の記録媒体に記録されているコンテンツデータのメニューを構成するメニューデータを前記記録媒体に記録するメニューデータ記録手段と、
前記記録媒体に記録される前記メニューデータを生成するメニューデータ生成手段と、
前記記録媒体に記録されている前記メニューデータを削除するメニューデータ削除手段と、
前記メニューデータ生成手段および前記メニューデータ削除手段のいずれかを選択し、前記メニューデータを生成させるか削除させるかを選択するメニューデータ選択手段と
を備えることを特徴とする記録再生装置。
【請求項１１】
前記メニューデータ選択手段は、前記記録媒体が排出されるときに、前記メニューデータに登録されているコンテンツデータと、前記記録媒体に記録されているコンテンツデータとの対応に不一致が生じている場合は、前記メニューデータ削除手段を選択し、前記メニューデータを削除させる
ことを特徴とする請求項１０に記載の記録再生装置。
【請求項１２】
前記メニューデータ選択手段は、新規コンテンツデータの記録開始および記録終了のいずれかのときに、前記メニューデータ削除手段を選択し、前記メニューデータを削除させる
ことを特徴とする請求項１０に記載の記録再生装置。
【請求項１３】
前記記録再生装置は、さらに、前記新規コンテンツデータを記録する状態に遷移したとき、および前記新規コンテンツデータの記録開始のときのいずれかのときに、前記メニューデータが前記記録媒体に記録されている場合は、前記メニューが無効になることを警告する警告画面を表示する警告画面表示手段
を備えることを特徴とする請求項１２に記載の記録再生装置。
【請求項１４】
前記記録再生装置は、ビデオカメラであって、
前記新規コンテンツデータを記録する状態は、前記ビデオカメラにおける撮影モードである
ことを特徴とする請求項１３に記載の記録再生装置。
【請求項１５】
前記記録再生装置は、さらに、前記メニューを作成するか否かをユーザから受け付けるユーザ操作受付手段を備え、
前記メニューデータ選択手段は、前記メニューを作成することが前記ユーザ操作受付手段で受け付けられた場合は、前記メニューデータ生成手段を選択し、前記メニューデータ
を生成させる
ことを特徴とする請求項１０に記載の記録再生装置。
【請求項１６】
前記記録再生装置は、さらに、前記記録媒体に対してファイナライズ処理を行うときに、前記メニューを作成するか否かを選択させることが示される選択画面を表示する選択画面表示手段を備え、
前記ユーザ操作受付手段は、前記選択画面を介して、前記メニューを作成するか否かをユーザから受け付け、
前記メニューデータ選択手段は、前記メニューを作成しないことが前記ユーザ操作受付手段で受け付けられた場合は、前記メニューデータ削除手段を選択し、前記メニューデータを削除させる
ことを特徴とする請求項１５に記載の記録再生装置。
【請求項１７】
可搬性の記録媒体に記録されているコンテンツデータのメニューを構成するメニューデータを前記記録媒体に記録するメニューデータ記録ステップと、
第１のメニュー形式で前記メニューデータを生成する第１形式のメニューデータ生成ステップと、
前記第１のメニュー形式で生成するよりも短時間で生成される第２のメニュー形式で前記メニューデータを生成する第２形式のメニューデータ生成ステップと、
前記第１形式のメニューデータ生成ステップおよび前記第２形式のメニューデータ生成ステップのいずれかを選択し、前記第１のメニュー形式および前記第２のメニュー形式のいずれで前記メニューデータを生成させるかを選択するメニューデータ選択ステップと
を含むことを特徴とする記録再生方法。
【請求項１８】
可搬性の記録媒体に記録されているコンテンツデータのメニューを構成するメニューデータを前記記録媒体に記録するメニューデータ記録ステップと、
第１のメニュー形式で前記メニューデータを生成する第１形式のメニューデータ生成ステップと、
前記第１のメニュー形式で生成するよりも短時間で生成される第２のメニュー形式で前記メニューデータを生成する第２形式のメニューデータ生成ステップと、
前記第１形式のメニューデータ生成ステップおよび前記第２形式のメニューデータ生成ステップのいずれかを選択し、前記第１のメニュー形式および前記第２のメニュー形式のいずれで前記メニューデータを生成させるかを選択するメニューデータ選択ステップと
をコンピュータシステムに実行させることを特徴とする記録再生プログラム。
【請求項１９】
可搬性の記録媒体に記録されているコンテンツデータのメニューを構成するメニューデータを前記記録媒体に記録するメニューデータ記録手段と、
第１のメニュー形式で前記メニューデータを生成する第１形式のメニューデータ生成手段と、
前記第１のメニュー形式で生成するよりも短時間で生成される第２のメニュー形式で前記メニューデータを生成する第２形式のメニューデータ生成手段と、
前記第１形式のメニューデータ生成手段および前記第２形式のメニューデータ生成手段のいずれかを選択し、前記第１のメニュー形式および前記第２のメニュー形式のいずれで前記メニューデータを生成させるかを選択するメニューデータ選択手段と
を備えることを特徴とする集積回路。
【手続補正２】
【補正対象書類名】明細書
【補正対象項目名】全文
【補正方法】変更
【補正の内容】
【発明の詳細な説明】
【技術分野】
【０００１】
本発明は、可搬性の記録媒体に音声や映像を記録し、記録した音声や映像を再生する記録再生装置に関する。
【背景技術】
【０００２】
従来、追記型ＤＶＤレコーダにおいて、記録済みのコンテンツデータに対する編集又は新たなコンテンツデータの記録を行った後は、追記型ＤＶＤのような可搬性の記録媒体に記録されているコンテンツデータのメニューを再生することを禁止する装置が提案されている（例えば、特許文献１参照。）。
【０００３】
この装置では、少なくとも新たなメニューが記録されるまで、メニューを再生することが禁止される。さらに、記録媒体排出時に、現在記録媒体に記録されているタイトル内容を反映したメニューを作成し、作成したメニューおよび管理情報を記録媒体に記録する。
【特許文献１】特開２００４−３１８９２３号公報
【発明の開示】
【発明が解決しようとする課題】
【０００４】
しかしながら、従来の技術において、記録媒体排出時にメニューを生成する必要があるため、記録媒体排出前の処理に時間がかかるという問題がある。これは、特に、ＤＶＤを記録媒体に使用するビデオカメラにおいて、記録媒体の交換を急ぐ場合には、足かせとなる。
【０００５】
そこで、本発明は、前記問題に鑑みてなされたものであり、記録媒体排出前などメニュー作成を急ぐ状況におけるメニュー作成処理を軽減しつつ、必要なメニューを作成する記録再生装置を提供することを目的とする。
【課題を解決するための手段】
【０００６】
前記目的を達成するために、本発明に係わる記録再生装置は、（ａ）（ａ１）可搬性の記録媒体に記録されているコンテンツデータのメニューを構成するメニューデータを前記記録媒体に記録するメニューデータ記録手段と、（ａ２）第１のメニュー形式で前記メニューデータを生成する第１形式のメニューデータ生成手段と、（ａ３）前記第１のメニュー形式で生成するよりも短時間で生成される第２のメニュー形式で前記メニューデータを生成する第２形式のメニューデータ生成手段と、（ａ４）前記第１形式のメニューデータ生成手段および前記第２形式のメニューデータ生成手段のいずれかを選択し、前記第１のメニュー形式および前記第２のメニュー形式のいずれで前記メニューデータを生成させるかを選択するメニューデータ選択手段とを備えることを特徴とする。
【０００７】
これによって、短時間でメニューを作成する必要があるときは、第２のメニュー形式でメニューデータを生成することで、メニュー作成に要する時間を短縮することができる。このため、他の操作や処理に与える影響を小さくすることができる。
【０００８】
さらに、（ｂ）前記記録再生装置は、（ｂ１）前記記録媒体が装着されたときに、前記メニューデータが前記記録媒体に記録されているか否かを検出するメニューデータ検出手段を備え、（ｂ２）前記メニューデータ選択手段は、前記メニューデータが前記記録媒体に記録されていないと前記メニューデータ検出手段で検出された場合は、前記第２形式のメニューデータ生成手段を選択し、前記第２のメニュー形式で前記メニューデータを生成させるとしてもよい。
【０００９】
これによって、例えば、ＤＶＤなどのような記録媒体を排出する前にメニューを作成しなくとも、記録媒体を装着した時に、第１のメニュー形式で生成するよりも短時間で生成される第２のメニュー形式でメニューを作成することができる。このため、記録媒体排出前の処理を軽減することができる。結果、ＤＶＤなどのような可搬性の記録媒体を使用するビデオカメラでは、記録媒体の交換をすばやく行うことができ、操作性が良くなる。
【００１０】
または、（ｃ）前記メニューデータ選択手段は、新規コンテンツデータの記録開始および記録終了のいずれかのときに、前記第２形式のメニューデータ生成手段を選択し、前記第２のメニュー形式で前記メニューデータを生成させるとしてもよい。
【００１１】
さらに、（ｄ）前記記録再生装置は、前記新規コンテンツデータを記録する状態に遷移したとき、および前記新規コンテンツデータの記録開始のときのいずれかのときに、前記メニューデータが前記記録媒体に記録されている場合は、前記メニューが無効になることを警告する警告画面を表示する警告画面表示手段を備えるとしてもよい。
【００１２】
これによって、録画操作が行われることで以前に記録されていたメニューデータが無効になる場合は、前もって警告を表示することで、意図しないメニューデータの無効化を避けることができる。
【００１３】
なお、本発明は、記録再生装置として実現される以外に、記録再生装置を制御する方法（以下、記録再生方法と呼称する。）、記録再生方法をコンピュータシステムに実行させるプログラム（以下、記録再生プログラムと呼称する。）、記録再生プログラムを記録した記録媒体として実現されるとしてもよい。
【００１４】
また、記録再生装置に組み込まれる集積回路（以下、記録再生集積回路と呼称する。）、プログラマブル・ロジック・デバイスに記録再生集積回路を形成する設計データ（以下、記録再生設計データと呼称する。）、記録再生設計データを記録した記録媒体として実現されるとしてもよい。
【発明の効果】
【００１５】
本発明によれば、ＤＶＤなどのような可搬性の記録媒体を使用するビデオカメラにおいて、簡易形式でメニューを作成することによって、記録媒体排出前の処理を軽減し、記録媒体の交換をすばやく行うことができる。また、メニューデータを生成する処理時間の短さが要求される状況においては、背景画像データを含まない簡易形式でメニューデータを生成するようにすることで、メニューデータ生成処理を軽減した記録再生装置を実現することができる。また、録画操作によって、以前に記録されていたメニューデータが無効になる場合は、前もって警告を表示することで、意図しないメニューデータの無効化を避けることができる。
【発明を実施するための最良の形態】
【００１６】
（実施の形態）
以下、本発明に係わる実施の形態について図面を参照しながら説明する。
【００１７】
本実施の形態における記録再生装置は、下記（ａ）〜（ｈ）に示される特徴を備える。
【００１８】
（ａ）可搬性の記録媒体に記録されているコンテンツデータのメニューを構成するメニューデータを記録媒体に記録するメニューデータ記録機能と、第１のメニュー形式でメニューデータを生成する第１形式のメニューデータ生成機能と、第１のメニュー形式で生成するよりも短時間で生成される第２のメニュー形式でメニューデータを生成する第２形式のメニューデータ生成機能と、第１形式のメニューデータ生成機能および第２形式のメニューデータ生成機能のいずれかを選択し、第１のメニュー形式および第２のメニュー形式のいずれでメニューデータを生成させるかを選択するメニューデータ選択機能とを備える。
【００１９】
（ｂ）第１形式のメニューデータ生成機能は、背景画像を含む第１のメニュー形式でメニューデータを生成し、第２形式のメニューデータ生成機能は、背景画像を含まない第２のメニュー形式でメニューデータを生成する。
【００２０】
（ｃ）記録再生装置は、さらに、記録媒体が装着されたときに、メニューデータが記録媒体に記録されているか否かを検出するメニューデータ検出機能を備え、メニューデータ選択機能は、メニューデータが記録媒体に記録されていないとメニューデータ検出機能で検出された場合は、第２形式のメニューデータ生成機能を選択し、第２のメニュー形式でメニューデータを生成させる。
【００２１】
（ｄ）メニューデータ選択機能は、記録媒体が排出されるときに、メニューデータに登録されているコンテンツデータと、記録媒体に記録されているコンテンツデータとの対応に不一致が生じている場合は、第２形式のメニューデータ生成機能を選択し、第２のメニュー形式でメニューデータを生成させる。
【００２２】
（ｅ）メニューデータ選択機能は、新規コンテンツデータの記録開始および記録終了のいずれかのときに、第２形式のメニューデータ生成機能を選択し、第２のメニュー形式でメニューデータを生成させる。
【００２３】
（ｆ）記録再生装置は、さらに、新規コンテンツデータを記録する状態に遷移したとき、および新規コンテンツデータの記録開始のときのいずれかのときに、メニューデータが記録媒体に記録されている場合は、メニューが無効になることを警告する警告画面を表示する警告画面表示機能を備える。
【００２４】
（ｇ）記録再生装置は、さらに、メニューを作成するか否かをユーザから受け付けるユーザ操作受付機能を備え、メニューデータ選択機能は、メニューを作成することがユーザ操作受付機能で受け付けられた場合は、第１形式のメニューデータ生成機能を選択し、第１のメニュー形式でメニューデータを生成させる。
【００２５】
（ｈ）記録再生装置は、さらに、記録媒体に対してファイナライズ処理を行うときに、メニューを作成するか否かを選択させることが示される選択画面を表示する選択画面表示機能を備え、ユーザ操作受付機能は、選択画面を介して、メニューを作成するか否かをユーザから受け付け、メニューデータ選択機能は、メニューを作成しないことがユーザ操作受付機能で受け付けられた場合は、第２形式のメニューデータ生成機能を選択し、第２のメニュー形式でメニューデータを生成させる。
【００２６】
以下、コンテンツデータをコンテンツと略称し、メニューデータの代わりにメニューデータを含むメニューファイルを用いる。なお、メニューファイルを作成することによってメニューデータが生成されている。以上の点を踏まえて本実施の形態における記録再生装置について説明する。
【００２７】
図１は、本実施の形態における記録再生装置の外観を示す斜視図である。図１に示されるように、記録再生装置１００は、音声・映像コンテンツを記録媒体１０に記録する機能を備える。また、記録媒体１０に記録されている音声・映像コンテンツを再生する機能を備える。
【００２８】
図２は、本実施の形態における記録再生装置１００のハードウェア構成を示す図である。図２に示されるように、記録再生装置１００は、レンズ群１０１、撮像部１０２、Ａ／Ｄ変換部１０３、映像信号処理部１０４、圧縮多重部１０５、記録処理部１０６、ドライブ制御部１０８、入力部１０９、制御部１１０、画像生成部１１１、表示部１１２、映像信号処理部１１３、分離伸張部１１４、再生処理部１１５などを備える。
【００２９】
レンズ群１０１は、複数の光学レンズから構成される。
【００３０】
撮像部１０２は、撮像素子などから構成され、レンズ群１０１を介して入力された映像を撮像する。撮像した映像をアナログ信号としてＡ／Ｄ変換部１０３へ出力する。
【００３１】
Ａ／Ｄ変換部１０３は、撮像部１０２から出力されたアナログ信号をデジタル信号に変換する。変換して得られたデジタル信号を映像信号処理部１０４へ出力する。
【００３２】
映像信号処理部１０４は、Ａ／Ｄ変換部１０３から出力されたデジタル信号を映像信号に変換する。変換して得られた映像信号を圧縮多重部１０５へ出力する。
【００３３】
圧縮多重部１０５は、映像信号処理部１０４から出力された映像信号を、ＭＰＥＧ−２やＨ．２６４などの符号化方法に基づいて、圧縮して多重する。多重して得られた映像信号をコンテンツとして記録処理部１０６へ出力する。
【００３４】
記録処理部１０６は、圧縮多重部１０５から出力されたコンテンツを記録媒体１０に書き込む。
【００３５】
ドライブ制御部１０８は、記録媒体１０を駆動するドライブ装置を制御する。
【００３６】
入力部１０９は、入力デバイスを介してユーザ操作を受け付ける。受け付けたユーザ操作を操作情報として制御部１１０へ出力する。
【００３７】
制御部１１０は、映像信号処理部１０４、圧縮多重部１０５、記録処理部１０６、ドライブ制御部１０８、画像生成部１１１、映像信号処理部１１３、分離伸張部１１４、再生処理部１１５を制御して、記録再生装置１００における記録処理、再生処理などを実行する。
【００３８】
画像生成部１１１は、記録媒体１０に記録されているコンテンツが一覧できるメニュー画像を生成する。
【００３９】
表示部１１２は、映像信号処理部１１３から出力された映像信号をモニタなどに表示する。
【００４０】
映像信号処理部１１３は、分離伸張部１１４から出力された伸張後のコンテンツを映像信号に変換する。変換して得られた映像信号を表示部１１２へ出力する。また、必要に応じて画像生成部１１１が生成したメニュー画像などをそのまま、もしくは分離伸張部１１４から出力された伸張後のコンテンツに多重して、映像信号として表示部１１２へ出力する。
【００４１】
分離伸張部１１４は、再生処理部１１５から出力されたコンテンツを、圧縮多重部１０５が施したＭＰＥＧ−２やＨ．２６４などの符号化方法に基づいて、分離して伸張する。伸張して得られたコンテンツを映像信号処理部１１３へ出力する。
【００４２】
再生処理部１１５は、再生対象のコンテンツを記録媒体１０から読み出す。読み出したコンテンツを分離伸張部１１４へ出力する。
【００４３】
図３は、本実施の形態における制御部１１０の機能構成を示す図である。図３に示されるように、制御部１１０は、ユーザ操作受付部１２１、ファイナライズ実行部１２２、メニュー画面表示部１２３、選択画面表示部１２４、警告画面表示部１２５、コンテンツ再生部１２６、メニューファイル検出部１２７、メニューファイル選択部１２８、標準形式のメニューファイル作成部１２９、簡易形式のメニューファイル作成部１３０、メニューファイル記録部１３１、モード判定部１３２などを備える。
【００４４】
ユーザ操作受付部１２１は、ユーザ操作に関する操作情報を、入力部１０９を介して受け付ける。
【００４５】
例えば、ユーザ操作受付部１２１は、メニュー表示処理を実行することが示される操作情報をユーザから受け付けた場合は、メニュー画面表示部１２３にメニューを表示するように指示する。そして、表示されたメニューの中からユーザが選択したコンテンツに対して、コンテンツ再生処理を実行することが示される操作情報をユーザから受け付けた場合は、コンテンツ再生部１２６にユーザが選択したコンテンツを再生するように指示する。
【００４６】
このとき、メニュー画面表示部１２３は、記録媒体１０に記録されているメニューファイルから構成されたメニューを、表示部１１２を介して表示する。コンテンツ再生部１２６は、記録媒体１０に記録されている再生対象のコンテンツを読み出して再生する。
【００４７】
また、ユーザ操作受付部１２１は、ファイナライズ処理を実行することが示される操作情報をユーザから受け付けた場合は、選択画面表示部１２４に選択画面（例えば、図４参照。）を表示するように指示し、ファイナライズ実行部１２２にファイナライズ処理を実行するように指示する。さらに、選択画面を介して、メニューを作成するか否かのいずれかが示される操作情報をユーザから受け付け、受け付けた操作情報をメニューファイル選択部１２８へ出力する。
【００４８】
このとき、選択画面表示部１２４は、ファイナライズ処理が実行されるときに、メニューを作成するか否かをユーザに選択させることが示される選択画面（例えば、図４参照。）を、表示部１１２を介して表示する。ファイナライズ実行部１２２は、ファイナライズ処理を実行する。
【００４９】
図４は、本実施の形態における選択画面の表示例を示す図である。図４に示されるように、選択画面表示部１２４は、ファイナライズ処理を実行するときに、ユーザにメニューを作成するか否かを選択させる選択画面１４０を、表示部１１２を介して表示する。そして、入力部１０９を介して、ユーザが選択した結果を受け付ける。このとき、記録再生装置１００は、ボタン１４２（はい）の選択を受け付けた場合は、標準形式のメニューを作成する。ボタン１４３（いいえ）の選択を受け付けた場合は、標準形式のメニューを作成する代わりに、簡易形式のメニューを作成する。
【００５０】
続いて、図３に示されるように、メニューファイル選択部１２８は、メニューファイルを作成させるときに、ユーザ操作受付部１２１から受け取った操作情報と、メニューファイル検出部１２７から受け取った検出情報とに基づいて、標準形式のメニューファイル作成部１２９および簡易形式のメニューファイル作成部１３０のいずれかを選択し、選択した方にメニューファイルを作成するように指示する。
【００５１】
このとき、メニューファイル検出部１２７は、記録再生装置１００に記録媒体１０が装着されたときに、記録媒体１０にメニューファイルが記録されているか否かを検出し、検出した結果を検出情報としてメニューファイル選択部１２８へ出力する。
【００５２】
標準形式のメニューファイル作成部１２９は、メニューファイル選択部１２８からメニューファイルを作成するように指示されると、標準形式でメニューファイル（例えば、図７参照。）を作成する。標準形式で作成したメニューファイル（以下、標準形式のメニューファイルと呼称する。）をメニューファイル記録部１３１へ出力する。
【００５３】
簡易形式のメニューファイル作成部１３０は、メニューファイル選択部１２８からメニューファイルを作成するように指示されると、標準形式で作成するよりも短時間で作成される簡易形式でメニューファイル（例えば、図９参照。）を作成する。簡易形式で作成したメニューファイル（以下、簡易形式のメニューファイルと呼称する。）をメニューファイル記録部１３１へ出力する。
【００５４】
メニューファイル記録部１３１は、標準形式のメニューファイル作成部１２９から標準形式のメニューファイルが出力されると、出力された標準形式のメニューファイルをメニューファイルとして記録媒体１０に記録する。また、簡易形式のメニューファイル作成部１３０から簡易形式のメニューファイルが出力されると、出力された簡易形式のメニューファイルをメニューファイルとして記録媒体１０に記録する。
【００５５】
例えば、メニューファイル選択部１２８は、下記（場合１）〜（場合３）のように、標準形式のメニューファイルを作成する必要がある場合は、標準形式のメニューファイル作成部１２９を選択する。一方、下記（場合４）〜（場合６）のように、標準形式のメニューファイルを作成する必要がなく、短時間でメニューファイルを作成する方が好ましい場合は、簡易形式のメニューファイル作成部１３０を選択する。
【００５６】
（場合１）メニューファイル選択部１２８は、標準形式のメニューを作成することが示される操作情報をユーザ操作受付部１２１から受け取った場合は、標準形式のメニューファイル作成部１２９を選択する。このとき、ユーザ操作受付部１２１は、標準形式のメニューを作成することが示される操作情報をユーザから受け付け、受け付けた操作情報をメニューファイル選択部１２８へ出力する。
【００５７】
（場合２）メニューファイル選択部１２８は、メニューを作成することが示される操作情報をユーザ操作受付部１２１から受け取った場合は、標準形式のメニューファイル作成部１２９を選択する。このとき、ユーザ操作受付部１２１は、メニューを作成することが示される操作情報をユーザから受け付け、受け付けた操作情報をメニューファイル選択部１２８へ出力する。
【００５８】
（場合３）メニューファイル選択部１２８は、ファイナライズ処理を実行するときに、メニューを作成することが示される操作情報をユーザ操作受付部１２１から受け取った場合は、標準形式のメニューファイル作成部１２９を選択する。このとき、ユーザ操作受付部１２１は、ファイナライズ処理を実行するときに表示された選択画面を介して、メニューを作成することが示される操作情報をユーザから受け付け、受け付けた操作情報をメニューファイル選択部１２８へ出力する。
【００５９】
（場合４）メニューファイル選択部１２８は、ファイナライズ処理を実行するときに、メニューを作成しないことが示される操作情報をユーザ操作受付部１２１から受け取った場合は、簡易形式のメニューファイル作成部１３０を選択する。このとき、ユーザ操作受付部１２１は、ファイナライズ処理を実行するときに表示された選択画面を介して、メニューを作成しないことが示される操作情報をユーザから受け付け、受け付けた操作情報をメニューファイル選択部１２８へ出力する。
【００６０】
（場合５）メニューファイル選択部１２８は、メニューファイルが記録媒体１０に記録されていないことが示される検出情報をメニューファイル検出部１２７から受け取った場合は、簡易形式のメニューファイル作成部１３０を選択する。このとき、メニューファイル検出部１２７は、メニューファイルが記録媒体１０に記録されていないことを検出し、検出した結果を検出情報としてメニューファイル選択部１２８へ出力する。
【００６１】
（場合６）メニューファイル選択部１２８は、録画処理や削除処理などを実行した後に記録媒体１０を排出するときに、ユーザ操作受付部１２１から受け取った操作情報と、メニューファイル検出部１２７から受け取った検出情報とに基づいて、記録媒体１０に記録されているメニューファイルに登録されているコンテンツと記録媒体１０に記録されているコンテンツとの対応に不一致が生じている場合は、簡易形式のメニューファイル作成部１３０を選択する。このとき、予め、メニューファイル検出部１２７は、メニューファイルが記録媒体１０に記録されていることを検出し、検出した結果を検出情報としてメニューファイル選択部１２８へ出力している。また、ユーザ操作受付部１２１は、予め、録画処理や削除処理などを実行することが示される操作情報をユーザから受け付け、受け付けた操作情報をメニューファイル選択部１２８へ出力している。その後に、ユーザ操作受付部１２１は、記録媒体１０を排出することが示される操作情報をユーザから受け付け、受け付けた操作情報をメニューファイル選択部１２８へ出力する。
【００６２】
なお、上記（場合６）において、記録媒体１０を排出するときに代わり、録画処理や削除処理を実行するときとしてもよい。このとき、メニューファイル選択部１２８は、記録媒体１０を排出することが示される操作情報の代わりに、録画処理や削除処理を実行することが示される操作情報をユーザ操作受付部１２１から受け取ったときに、簡易形式のメニューファイル作成部１３０を選択する。これによって、録画処理や削除処理などが実行される度にメニューファイルを作成するが、排出時にメニューファイルを作成しなくなるので、排出時の処理を低減することができる。
【００６３】
また、メニューファイル選択部１２８は、検出情報をメニューファイル検出部１２７から受け取ると、受け取った検出情報をユーザ操作受付部１２１とモード判定部１３２とへ出力する。
【００６４】
このとき、ユーザ操作受付部１２１は、メニューファイルが作成されて記録媒体１０に記録された後に、録画処理や削除処理などのように、コンテンツを追記したり削除したりすることによって、メニューファイルに登録されているコンテンツと記録媒体１０に記録されているコンテンツとの対応に不一致が生じる場合は、警告画面表示部１２５に警告画面（例えば、図５参照。）を表示するように指示する。警告画面表示部１２５は、メニューが無効になることをユーザに警告する警告画面（例えば、図５参照。）を、表示部１１２を介して表示する。
【００６５】
図５は、本実施の形態における警告画面の表示例を示す図である。図５に示されるように、メニューが作成された後に、コンテンツを記録媒体１０に追記する場合には、メニューが無効になることが示される警告画面１５０が、表示部１１２を介して表示される。
【００６６】
また、図３に示されるように、モード判定部１３２は、メニューファイルが記録媒体１０に記録されているときに、撮影モードに遷移した場合は、警告画面表示部１２５に警告画面（例えば、図５参照。）を表示するように指示する。
【００６７】
具体的には、モード判定部１３２は、記録再生装置１００の動作モードを示す操作情報がユーザ操作受付部１２１で受け付けられると、ユーザ操作受付部１２１で前回受け付けられたときに記憶した操作情報（動作モード）から、記録再生装置１００の現在の動作モードを特定する。また、ユーザ操作受付部１２１で今回受け付けられた操作情報（動作モード）を記憶する。そして、動作モードが遷移することによって、メニューファイルに登録されているコンテンツと記録媒体１０に記録されているコンテンツとの対応に不一致が生じる場合は、警告画面表示部１２５に警告画面（例えば、図５参照。）を表示するように指示する。
【００６８】
例えば、記録再生装置１００が撮影モードと再生モードとの２種類の動作モードを有するとする。この場合において、再生モードから撮影モードに遷移するときに、モード判定部１３２は、ユーザ操作受付部１２１で前回受け付けられたときに記憶した操作情報（再生モード）から、記録再生装置１００の現在の動作モードが再生モードであると特定する。また、ユーザ操作受付部１２１で今回受け付けられた操作情報（撮影モード）を記憶する。さらに、再生モードから撮影モードに遷移することによって、メニューファイルに登録されているコンテンツと、新規コンテンツも含めて記録媒体１０に記録されているコンテンツとの対応に不一致が生じる。このため、警告画面表示部１２５に警告画面（例えば、図５参照。）を表示するように指示する。
【００６９】
続いて、標準形式のメニューファイルと簡易形式のメニューファイルとについて説明する。ここでは、図６に示されるファイル構成で記録媒体１０に記録されている場合を例に説明する。
【００７０】
図６は、本実施の形態における記録媒体１０に記録されているファイルの構成を示す図である。図６に示されるように、ここでは、一例として、コンテンツフォルダ（ＣＯＮＴＥＮＴＳ）には、インフォファイル１１（ｉｎｆｏ）、メニューファイル１２（ｍｅｎｕ）、プレイリストフォルダ（ＰＬＡＹＬＩＳＴ）、クリップインフォフォルダ（ＣＬＩＰＩＮＦ）、ストリームフォルダ（ＳＴＲＥＡＭ）などが格納されている。インフォファイル１１（ｉｎｆｏ）には、ディレクトリ全体の管理情報が含まれる。メニューファイル１２（ｍｅｎｕ）には、メニューを構成する情報などが含まれる。
【００７１】
さらに、プレイリストフォルダ（ＰＬＡＹＬＩＳＴ）には、プレイリストファイル１３（０１００１．ｐｌｓｔ）などが格納されている。プレイリストファイル１３（０１００１．ｐｌｓｔ）には、コンテンツの再生順序に関する情報などが含まれる。
【００７２】
また、クリップインフォフォルダ（ＣＬＩＰＩＮＦ）には、クリップインフォファイル１４（０１０００．ｃｌｐｉ）などが格納されている。クリップインフォファイル１４（０１０００．ｃｌｐｉ）には、時間情報と映像データとの位置を対応付け、部分再生、特殊再生を実現するタイムテーブルなどが含まれる。
【００７３】
また、ストリームフォルダ（ＳＴＲＥＡＭ）には、ストリームファイル１５（０１０００．ｍ２ｔｓ）などが格納されている。ストリームファイル１５（０１０００．ｍ２ｔｓ）には、ＡＶストリームデータが含まれる。
【００７４】
そして、制御部１１０は、再生処理の制御にあたって、プレイリストファイル１３、クリップインフォファイル１４、ストリームファイル１５の３種類のファイルを使用する。
【００７５】
なお、プレイリストファイルには、再生したいクリップインフォファイルと再生時間が記載されている。このプレイリストファイルを再生すると、指示されたクリップインフォファイルが参照されて、そのタイムテーブルなどの情報を用いて指定されたストリームファイルが再生される。例えば、プレイリストファイル１３（０１００１．ｐｌｓｔ）には、クリップ（＃１）、クリップ（＃２）などの順に再生されることが示されている。このとき、クリップ（＃１）については、クリップインフォファイル（０１０００．ｃｌｐｉ）によって対応付けられているストリームファイル（０１０００．ｍ２ｔｓ）が再生される。クリップ（＃２）については、クリップインフォファイル（０２０００．ｃｌｐｉ）によって対応付けられているストリームファイル（０２０００．ｍ２ｔｓ）が再生される。
【００７６】
図７は、本実施の形態における標準形式のメニューファイルのデータ構造を示す図である。図７に示されるように、メニューファイル１２ａは、記録媒体１０に記録されているコンテンツを、１以上のページに分けて一覧する標準形式のメニュー（例えば、図８参照。）を記述した標準形式のメニューファイルである。
【００７７】
ここでは、一例として、メニューファイル１２ａには、先頭から順に、“Ｃ＆Ｇ＃１”、“Ｃ＆Ｇ＃２”、“Ｃ＆Ｇ＃３”、“Ｃ＆Ｇ＃４”、・・・のように、各プレイリストファイルと対応付けられた“Ｃ＆Ｇ”が含まれている。その後に、“Ｓｔｉｌｌ  Ｐｉｃｔｕｒｅ＃１”、“Ｓｔｉｌｌ  Ｐｉｃｔｕｒｅ＃２”、“Ｓｔｉｌｌ  Ｐｉｃｔｕｒｅ＃３”、“Ｓｔｉｌｌ  Ｐｉｃｔｕｒｅ＃４”、・・・のように、各“Ｃ＆Ｇ”と対応付けられた“Ｓｔｉｌｌ  Ｐｉｃｔｕｒｅ”が含まれている。なお、このとき、“Ｃ＆Ｇ”は、制御情報と画像情報とで構成されるデータである。“Ｓｔｉｌｌ  Ｐｉｃｔｕｒｅ”は、メニューの背景画像を符号化したデータである。また、背景画像を構成する画像、例えば、枠、ボタンなどについては、メニューの表示を制御するコマンドが対応付けられている。
【００７８】
例えば、記録再生装置１００は、“Ｃ＆Ｇ＃１”に基づいて、プレイリストファイル（０１００１．ｐｌｓｔ）、プレイリストファイル（０２００２．ｐｌｓｔ）に記載されているクリップのサムネイル画像を背景画像に含む１ページ目のメニューを表示する。そして、この１ページ目のメニューが表示されている状態で、次のページのメニューを表示させる操作がユーザから受け付けられると、“Ｃ＆Ｇ＃１”の後続の“Ｃ＆Ｇ＃２”に対して同様の処理を実行する。そして、プレイリストファイル（１００００．ｐｌｓｔ）、プレイリストファイル（２００００．ｐｌｓｔ）に記載されているクリップのサムネイル画像を背景画像に含む２ページ目のメニューを表示する。以下、“Ｃ＆Ｇ＃３”、“Ｃ＆Ｇ＃４”についても同様である。
【００７９】
図８は、本実施の形態における標準形式のメニューの画面表示例を示す図である。図８に示されるように、制御部１１０は、メニューファイル１２ａに従って再生すると、まず、“Ｃ＆Ｇ＃１”に基づいて、“Ｓｔｉｌｌ  Ｐｉｃｔｕｒｅ＃１”を背景画像に使用してメニュー画面１６０を表示する。すなわち、“開会式”、“玉投げ”などのサムネイル画像を６枚並べた背景画像が“Ｓｔｉｌｌ  Ｐｉｃｔｕｒｅ＃１”として符号化されており、ユーザ操作によって色・形などが変わる画像情報（例えば、Ｐａｇｅ２を示す矢印やサムネイル画像の選択有無を示す枠など）が制御情報とともに“Ｃ＆Ｇ＃１”に記録されている。そして、ユーザは、メニューの中から再生したいサムネイル画像を選択して再生操作を行うと、制御部１１０は、それに対応したプレイリストファイルを参照して、ストリームファイルを再生する。
【００８０】
図９は、本実施の形態における簡易形式のメニューファイルのデータ構造を示す図である。図９に示されるように、メニューファイル１２ｂは、記録媒体１０に記録されているコンテンツを、順次自動再生する簡易形式のメニュー（例えば、図１０参照。）を記述した簡易形式のメニューファイルである。
【００８１】
ここでは、一例として、メニューファイル１２ｂには、先頭から順に、“Ｃ＆Ｇ＃１”、“Ｃ＆Ｇ＃２”、“Ｃ＆Ｇ＃３”、“Ｃ＆Ｇ＃４”、・・・のように、“Ｃ＆Ｇ”のみが含まれている。なお、標準形式のメニューファイルのように、各“Ｃ＆Ｇ”と対応付けられた“Ｓｔｉｌｌ  Ｐｉｃｔｕｒｅ”については含まれていない。なお、このとき、“Ｃ＆Ｇ”は、メニューファイルに“Ｓｔｉｌｌ  Ｐｉｃｔｕｒｅ”が含まれないので、画像情報がなく制御情報のみで構成されるデータである。
【００８２】
例えば、記録再生装置１００は、“Ｃ＆Ｇ＃１”に基づいて、プレイリストファイル（０１００１．ｐｌｓｔ）、プレイリストファイル（０２００２．ｐｌｓｔ）に記載されているクリップを順に再生する。そして、それが終わると、“Ｃ＆Ｇ＃１”の後続の“Ｃ＆Ｇ＃２”に対して同様の処理を実行する。そして、プレイリストファイル（１００００．ｐｌｓｔ）、プレイリストファイル（２００００．ｐｌｓｔ）に記載されているクリップを順に再生する。以下、“Ｃ＆Ｇ＃３”、“Ｃ＆Ｇ＃４”についても同様である。
【００８３】
図１０は、本実施の形態におけるメニューファイルによって記録媒体１０に記録されているコンテンツを順に再生する様子を示す概要図である。図１０に示されるように、例えば、コンテンツ１７１（開会式）、コンテンツ１７２（玉投げ）、コンテンツ１７３（玉転がし）、コンテンツ１７４（パン食い競争）、コンテンツ１７５（徒競争）、コンテンツ１７６（１着）が記録媒体１０に記録されているとする。このとき、デフォルト状態では、メニューファイルには、コンテンツ１７１〜１７６のそれぞれに対応する“Ｃ＆Ｇ＃１〜＃６”が含まれる。さらに、“Ｃ＆Ｇ＃１〜＃６”は、制御情報のみで構成されているとする。そして、制御部１１０は、このメニューファイルに従って、コンテンツ１７１〜１７６を順に再生する。
【００８４】
このように、標準形式のメニューを作成する代わりに、簡易形式のメニューを作成するので、メニューファイルの生成に掛かる時間が短縮される。特に、簡易形式のメニューを作成するにあたって、標準形式のメニューの背景画像である“Ｓｔｉｌｌ  Ｐｉｃｔｕｒｅ＃１”など（図９において破線で示されている部分。）を生成し、符号化して記録する必要がないので、メニューファイルを生成する時間が掛からない。
【００８５】
ここで、標準形式のメニューの最後の背景画像にサムネイル画像が３枚だけ入っている場合を例に説明する。この場合において、コンテンツが追加されると、記録媒体１０に記録されているコンテンツと対応させるために、その背景画像をサムネイル画像が４枚入った背景画像に作り直す必要がある。しかし、その背景画像を作り直すときに、図７に示される“Ｓｔｉｌｌ  Ｐｉｃｔｕｒｅ”を再符号化する処理が必要になる。このため、簡易形式のメニューファイルと比べて、標準形式のメニューファイルの作成に要する時間が長くなり、他の処理や操作に与える影響が大きくなる。
【００８６】
また、記録媒体１０を排出するときに標準形式のメニューファイルを作成すれば、作成が終了するまで記録媒体１０を排出することができず、排出に時間が掛かりすぎることになる。このため、コンテンツの追加や削除などに伴い、標準形式のメニューファイルを作成していては、操作性が著しく損なわれる。
【００８７】
そこで、記録再生装置１００は、短時間でメニューファイルを作成する必要があるときは、簡易形式のメニューファイルを作成する。これによって、背景画像を作り直すことが避けられるので、標準形式のメニューファイルを作成する場合と比べて、他の処理や操作に与える影響を小さくすることができ、操作性が良くなる。
【００８８】
また、コンテンツを記録した後に、そのコンテンツを削除する場合などのように、必ずしもメニューファイルを作成し直す必要があるとは限らない場合もある。このような場合において、コンテンツが記録されたり削除されたりする度に、標準形式のメニューファイルを作成していては、他の操作や処理に大きな影響を与える。さらに、標準形式のメニューファイルの代わりに、簡易形式のメニューファイルを作成し、作成した簡易形式のメニューファイルで標準形式のメニューファイルを置き換える必要もない。
【００８９】
そこで、記録再生装置１００は、メニューファイルを作成し直す必要がある場合は、警告画面（例えば、図５参照。）を表示することで、他の操作や処理に与える影響を小さくすると共に、ユーザの判断に委ねて柔軟な使い方をユーザに提供する。
【００９０】
なお、コンテンツの追加や削除などに伴い、簡易形式のメニューファイルを作成する代わりに、メニューファイルを削除するとしてもよいし、メニューファイルを無効化するとしてもよい。これによっても、操作性の面では改善を図ることができる。ただし、他の再生装置で再生する場合において、互換性が維持されていなければ、同じ再生処理が実行されるとは限らない。
【００９１】
例えば、メニューファイルが記録されていないときの処理が記録再生装置１００と他の再生装置とで異なれば、同じ再生処理が実行されるとは限らない。しかし、簡易形式のメニューファイルを作成する場合は、他の再生装置で再生する場合でも、メニューファイルが記録されているときの処理として扱われるので、同じ再生処理が実行される。ただし、メニューファイルが無効化されているときは、正常に再生処理が実行されるとは限らない。
【００９２】
続いて、以上のように構成されている記録再生装置１００の動作について説明する。
【００９３】
図１１は、本実施の形態における制御部１１０において実行されるメニュー作成処理を示す図である。図１２〜図１５は、本実施の形態における制御部１１０において実行されるユーザ操作待ち処理を示す図である。なお、これらの図においては、装着された記録媒体の種別を示す媒体種別フラグが制御部１１０に設けられているものとする。媒体種別フラグは、リライタブルフラグ及びライトワンスフラグを有する。そして、リライタブル型の記録媒体が装着された場合は、リライタブルフラグが１に、ライトワンスフラグが０にセットされる。ライトワンス型の記録媒体が装着された場合は、リライタブルフラグが０に、ライトワンスフラグが１にセットされる。それ以外の場合は、ともに０にセットされる。
【００９４】
記録再生装置１００の電源が入って初期化された後、もしくは記録媒体が排出された後に、図１１に示されるように、メニュー作成処理が開始される。この時点では、媒体種別フラグは、全て０にセットされている。まず、制御部１１０は、記録再生装置１００に記録媒体が装着されたか否かを判定する（Ｓ１０１）。判定した結果、装着された場合は（Ｓ１０１：Ｙｅｓ）、装着された記録媒体がリライタブル型の記録媒体であるか否かを判定する（Ｓ１０２）。判定した結果、リライタブル型の記録媒体である場合は（Ｓ１０２：Ｙｅｓ）、媒体種別フラグのリライタブルフラグを１にセットしたのち（Ｓ１０３）、メニューファイルが記録媒体に記録されているか否かを判定する（Ｓ１０４）。判定した結果、メニューファイルが記録媒体に記録されていない場合は（Ｓ１０４：Ｎｏ）、簡易形式のメニューファイルを作成する（Ｓ１０５）。作成した簡易形式のメニューファイルを記録媒体に書き込む（Ｓ１０６）。その後、メニュー作成処理を終了し、続いて、図１２〜図１５に示されるユーザ操作待ち処理を開始する。なお、メニューファイルが記録媒体に記録されている場合は（Ｓ１０４：Ｙｅｓ）、そのままメニュー作成処理を終了し、図１２〜図１５に示されるユーザ操作待ち処理を開始する。
【００９５】
一方、制御部１１０は、リライタブル型の記録媒体でない場合は（Ｓ１０２：Ｎｏ）、装着された記録媒体がライトワンス型の記録媒体であるか否かを判定する（Ｓ１０７）。判定した結果、ライトワンス型の記録媒体である場合は（Ｓ１０７：Ｙｅｓ）、媒体種別フラグのライトワンスフラグを１にセットしたのち（Ｓ１０８）、メニュー作成処理を終了し、続いて、図１２〜図１５に示されるユーザ操作待ち処理を開始する。なお、ライトワンス型の記録媒体でない場合は（Ｓ１０７：Ｎｏ）、そのままメニュー作成処理を終了し、図１２〜図１５に示されるユーザ操作待ち処理を開始する。
【００９６】
そして、図１２に示されるように、制御部１１０は、まず、ユーザからの操作を待ち受ける状態になる（Ｓ１１１）。ユーザからの操作があると（Ｓ１１１：Ｙｅｓ）、媒体種別フラグの値を確認する（Ｓ１１２）。確認した結果、リライタブルフラグが１であり、かつライトワンスフラグが０であるとする。すなわち、リライタブル型の記録媒体が装着されたとする。この場合において、ユーザ操作によって録画指示を受け付けると（Ｓ１１３：録画指示）、図１３に示されるように、まず、メニューファイルが記録媒体に記録されているか否かを判定する（Ｓ１２１）。
【００９７】
制御部１１０は、判定した結果、メニューファイルが記録されている場合は（Ｓ１２１：Ｙｅｓ）、警告画面を介して、メニューが無効になることを警告する（Ｓ１２２）。さらに、警告に対して、ユーザがメニュー無効化を承諾した場合は（Ｓ１２３：Ｙｅｓ）、その後、メニューファイルを無効化し（Ｓ１２４）、簡易形式のメニューファイルを作成し、作成した簡易形式のメニューファイルでメニューファイルを書き換える（Ｓ１２５）。その後、通常の録画処理を行い（Ｓ１２６）、ユーザ操作待ち処理を終了し、次のユーザ操作待ち処理を開始する。
【００９８】
ここで、録画指示としては、実際に録画ボタンを押す操作だけではなく、撮影モードへ移行する操作としてもよい。カメラ一体型の記録再生装置においては、カメラ撮影をするための撮影モードと、コンテンツ再生をするための再生モードとを切り替える操作を要するものもある。さらに、このような装置においては、再生モードから撮影モードへの切り替え操作によって、以前記録していたメニューファイルが無効化される恐れがある旨を警告するとしてもよい。
【００９９】
また、図１２に示されるように、制御部１１０は、ユーザ操作によってメニュー作成指示を受け付けると（Ｓ１１３：メニュー作成指示）、図１４に示されるように、標準形式のメニューファイルを作成し（Ｓ１３１）、作成した標準形式のメニューファイルを記録媒体に書き込む（Ｓ１３２）。その後、ユーザ操作待ち処理を終了し、次のユーザ操作待ち処理を開始する。
【０１００】
また、図１２に示されるように、制御部１１０は、確認した結果、リライタブルフラグが０であり、かつライトワンスフラグが１であるとする。すなわち、ライトワンス型の記録媒体が装着されたとする。この場合において、ユーザ操作によってファイナライズ指示を受け付けると（Ｓ１１４：ファイナライズ指示）、図１５に示されるように、まず、メニューを作成するか否かをユーザに選択させる選択画面を表示する（Ｓ１４１）。選択した結果をユーザから受け付け、メニューの作成が選択されたか否かを判定する（Ｓ１４２）。判定した結果、メニューの作成が選択された場合は（Ｓ１４２：Ｙｅｓ）、標準形式のメニューファイルを作成する（Ｓ１４３）。一方、メニューの作成が選択されなかった場合は（Ｓ１４２：Ｎｏ）、簡易形式のメニューファイルを作成する（Ｓ１４４）。そして、作成したメニューファイルを記録媒体に記録したのち（Ｓ１４５）、ファイナライズ処理を行い（Ｓ１４６）、ユーザ操作待ち処理を終了し、次のユーザ操作待ち処理を開始する。
【０１０１】
以上、本実施の形態における記録再生装置１００によれば、メニューファイル生成に処理時間の短さが要求される状況においてはメニュー画像を省略してコンテンツを順次再生する簡易形式のメニューファイルを作成する。これによって、メニューファイル生成処理を軽減した記録再生装置を実現することができる。また、録画操作により以前に記録されていたメニューファイルが無効になる場合は、前もって警告を表示する。これによって、意図しないメニューファイルの無効化を避けることができる。
【０１０２】
（その他）
なお、リライタブル型の記録媒体については、ファイナライズという操作は必要ないが、ライトワンス型の記録媒体を用いる場合と操作性を共通にするために、擬似的にファイナライズ状態を設けることも可能である。これに対して、例えば、図１４に示されるメニューファイル作成指示による処理（Ｓ１３１，Ｓ１３２）の代わりに、図１５に示される処理（Ｓ１４１〜Ｓ１４６）を実行する。メニューファイルを記録した後に行う実際のファイナライズ処理としてリライタブル型記録媒体上にファイナライズフラグを設けてファイナライズ処理の有無を示す。これによって、擬似的なファイナライズ状態を保存することができる。
【０１０３】
なお、本実施の形態においては、簡易形式のメニューとして、コンテンツを順次再生するメニューとして説明した。しかし、背景画像を“Ｓｔｉｌｌ  Ｐｉｃｔｕｒｅ”として符号化する操作が省略できればよい。そこで、例えば、コンテンツを順次再生する代わりに、Ｃ＆Ｇのみで簡略に作成可能な範囲で表示し、ユーザの選択操作を経てコンテンツを再生するようなメニューとしてもよい。また、コンテンツの録画開始時刻のみを一覧表に示して選択させるようなＣ＆Ｇからなるメニューファイルを作成するとしてもよい。
【０１０４】
なお、本実施の形態においては、標準形式のメニューと簡易形式のメニューとの２種類のメニューを例に説明したが、これら２種類のメニューに限定される訳ではない。例えば、複数種類のメニュー形式の中から、ユーザによって適宜選択されたメニューの形式で、記録媒体に記録されているコンテンツのメニューを構成するとする。この場合において、メニューファイルを作成する必要がある場合は、ユーザから特定のメニューの形式が指定されない限り、短時間でメニューファイルが作成されるメニュー形式が自動的に選択され、選択されたメニュー形式でメニューファイルが作成されるとしてもよい。言い換えれば、標準形式のメニューと、標準形式のメニューよりも作成時間を要する拡張形式のメニューしか提供されない場合は、標準形式のメニューが自動的に選択されることになる。
【０１０５】
また、予めユーザが設定したメニュー形式が特定される情報を記憶しておき、その情報に基づいて、予めユーザが設定したメニュー形式が自動的に選択され、選択されたメニュー形式でメニューファイルが作成されるとしてもよい。
【０１０６】
なお、（ａ）可搬性の記録媒体に記録されているコンテンツデータのメニューを構成するメニューデータを記録媒体に記録するメニューデータ記録機能と、（ｂ）記録媒体に記録されるメニューデータを生成するメニューデータ生成機能と、（ｃ）記録媒体に記録されているメニューデータを削除するメニューデータ削除機能と、（ｄ）メニューデータ生成機能およびメニューデータ削除機能のいずれかを選択し、メニューデータを生成させるか削除させるかを選択するメニューデータ選択機能とを備えるとしてもよい。
【０１０７】
すなわち、簡易形式のメニューファイルを作成する代わりに、標準形式のメニューファイルを削除するとしてもよい。
【０１０８】
例えば、記録再生装置１００は、制御部１１０の代わりに、図１６に示される制御部２１０を備えるとしてもよい。このとき、メニューファイル選択部２２８は、メニューファイル作成部２２９およびメニューファイル削除部２３０のいずれかを選択する。
【０１０９】
例えば、メニューファイル選択部２２８は、メニューファイルを作成させるときは、メニューファイル作成部２２９を選択し、メニューファイルを作成させる。これに伴い、メニューファイル作成部２２９は、標準形式でメニューファイルを作成し、標準形式で作成したメニューファイルをメニューファイル記録部１３１へ出力する。メニューファイル記録部１３１は、メニューファイル作成部２２９から出力されたメニューファイルを記録媒体１０に記録する。
【０１１０】
一方、メニューファイル選択部２２８は、メニューファイルを削除させるときは、メニューファイル削除部２３０を選択し、メニューファイルを削除させる。これに伴い、メニューファイル削除部２３０は、記録媒体１０に記録されているメニューファイルを削除する。
【０１１１】
すなわち、記録媒体の装着時や録画指示受付時などに、常にメニューファイルの有無が確認され適宜処理されることを前提にメニューファイルを書き換える代わりに、メニューファイルを削除するようにしてもよい。この場合は、先に述べたように、他の再生装置で同じ再生処理が実行されるとは限らないが、メニューを作成するための時間を省略することができる。
【０１１２】
なお、本発明に係わる記録再生装置１００は、ＣＰＵ（Central Processing Unit）、システムＬＳＩ（Large Scale Integration）、ＲＡＭ（Random Access Memory）、ＲＯＭ（Read Only Memory）、ＨＤＤ（Hard Disk Drive）、ネットワークインターフェースなどを備えるとしてもよい。さらに、ＤＶＤ−ＲＡＭ、Ｂｌｕ−ｒａｙディスク、ＳＤ（Secure Digital）メモリカードのような可搬性の記録媒体に対して読み書き可能なドライブ装置を備えるとしてもよい。
【０１１３】
なお、記録再生装置１００は、デジタルビデオカメラ、デジタルレコーダ、デジタルテレビ、ゲーム機、ＩＰ電話機、携帯電話機などのような組み込みシステムとしてもよい。
【０１１４】
さらに、ＨＤＤまたはＲＯＭなどに、記録再生装置１００を制御するプログラム（以下、記録再生プログラムと呼称する。）がインストールされており、記録再生プログラムが実行されることによって、記録再生装置１００の各機能が実現されるとしてもよい。
【０１１５】
なお、記録再生プログラムは、コンピュータシステム、組み込みシステムなどのようなハードウェアシステムに読み取り可能な記録媒体に記録されているとしてもよい。さらに、記録媒体を介して他のハードウェアシステムに読み出されて実行されるとしてもよい。これによって、記録再生装置１００の各機能を他のハードウェアシステムに実現することができる。ここで、コンピュータシステム読み取り可能な記録媒体として、光学記録媒体（例えば、ＣＤ−ＲＯＭなど。）、磁気記録媒体（例えば、ハードディスクなど。）、光磁気記録媒体（例えば、ＭＯなど。）、半導体メモリ（例えば、メモリカードなど。）などがある。
【０１１６】
また、記録再生プログラムは、インターネット、ローカルエリアネットワークなどのようなネットワークに接続されているハードウェアシステムに保持されているとしてもよい。さらに、ネットワークを介して他のハードウェアシステムにダウンロードされて実行されるとしてもよい。これによって、記録再生装置１００の各機能を他のハードウェアシステムに実現することができる。ここで、ネットワークとして、地上放送網、衛星放送網、ＰＬＣ（Power Line Communication）、移動電話網、有線通信網（例えば、ＩＥＥＥ８０２．３など。）、無線通信網（例えば、ＩＥＥＥ８０２．１１など。）がある。
【０１１７】
または、記録再生装置１００に実装される記録再生回路によって、記録再生装置１００の各機能が実現されるとしてもよい。
【０１１８】
なお、記録再生回路は、フルカスタムＬＳＩ、ＡＳＩＣ（Application Specific Integrated Circuit）などのようなセミカスタムＬＳＩ、ＦＰＧＡ（Field Programmable Gate Array）やＣＰＬＤ（Complex Programmable Logic Device）などのようなプログラマブル・ロジック・デバイス、動的に回路構成が書き換え可能なダイナミック・リコンフィギュラブル・デバイスに形成されるとしてもよい。
【０１１９】
さらに、記録再生装置１００の各機能を記録再生回路に形成する設計データは、ハードウェア記述言語によって記述されたプログラム（以下、ＨＤＬプログラムと呼称する。）としてもよい。さらに、ＨＤＬプログラムを論理合成して得られるゲート・レベルのネットリストとしてもよい。また、ゲート・レベルのネットリストに、配置情報、プロセス条件等を付加したマクロセル情報としてもよい。また、寸法、タイミング等が規定されたマスクデータとしてもよい。ここで、ハードウェア記述言語として、ＶＨＤＬ（Very high speed integrated circuit Hardware Description Language）、Ｖｅｒｉｌｏｇ−ＨＤＬ、ＳｙｓｔｅｍＣなどがある。
【０１２０】
さらに、設計データは、コンピュータシステム、組み込みシステムなどのようなハードウェアシステムに読み取り可能な記録媒体に記録されているとしてもよい。さらに、記録媒体を介して他のハードウェアシステムに読み出されて実行されるとしてもよい。そして、これらの記録媒体を介して他のハードウェアシステムに読み取られた設計データが、ダウンロードケーブルを介して、プログラマブル・ロジック・デバイスにダウンロードされるとしてもよい。
【０１２１】
または、設計データは、インターネット、ローカルエリアネットワークなどのようなネットワークに接続されているハードウェアシステムに保持されているとしてもよい。さらに、ネットワークを介して他のハードウェアシステムにダウンロードされて実行されるとしてもよい。そして、これらのネットワークを介して他のハードウェアシステムに取得された設計データが、ダウンロードケーブルを介して、プログラマブル・ロジック・デバイスにダウンロードされるとしてもよい。
【０１２２】
または、設計データは、通電時にＦＰＧＡに転送され得るように、シリアルＲＯＭに記録しておくとしてもよい。そして、シリアルＲＯＭに記録された設計データは、通電時に、直接、ＦＰＧＡにダウンロードされるとしてもよい。
【０１２３】
または、設計データは、通電時に、マイクロプロセッサによって生成されて、ＦＰＧＡにダウンロードされるとしてもよい。
【産業上の利用可能性】
【０１２４】
本発明は、可搬性の記録媒体に音声や映像を記録し、記録した音声や映像を再生する記録再生装置などとして、特に、半導体メモリや光ディスク等の記録媒体にＡＶデータを記録するとともに、必要に応じてメニュー画面を表示するためのメニュー情報を記録するビデオカメラなどとして、利用することができる。
【図面の簡単な説明】
【０１２５】
【図１】図１は、本発明に係わる実施の形態における記録再生装置の外観を示す斜視図である。
【図２】図２は、本発明に係わる実施の形態における記録再生装置のハードウェア構成を示す図である。
【図３】図３は、本発明に係わる実施の形態における制御部の機能構成を示す図である。
【図４】図４は、本発明に係わる実施の形態における選択画面の表示例を示す図である。
【図５】図５は、本発明に係わる実施の形態における警告画面の表示例を示す図である。
【図６】図６は、本発明に係わる実施の形態における記録媒体に記録されているファイルの構成を示す図である。
【図７】図７は、本発明に係わる実施の形態における標準形式のメニューファイルのデータ構造を示す図である。
【図８】図８は、本発明に係わる実施の形態における標準形式のメニューの画面表示例を示す図である。
【図９】図９は、本発明に係わる実施の形態における簡易形式のメニューファイルのデータ構造を示す図である。
【図１０】図１０は、本発明に係わる実施の形態におけるメニューファイルによって記録媒体に記録されているコンテンツを順に再生する様子を示す概要図である。
【図１１】図１１は、本発明に係わる実施の形態における制御部において実行されるメニュー作成処理を示す図である。
【図１２】図１２は、本発明に係わる実施の形態における制御部において実行されるユーザ操作待ち処理を示す第１の図である。
【図１３】図１３は、本発明に係わる実施の形態における制御部において実行されるユーザ操作待ち処理を示す第２の図である。
【図１４】図１４は、本発明に係わる実施の形態における制御部において実行されるユーザ操作待ち処理を示す第３の図である。
【図１５】図１５は、本発明に係わる実施の形態における制御部において実行されるユーザ操作待ち処理を示す第４の図である。
【図１６】図１６は、本発明に係わる他の実施の形態における制御部の機能構成を示す図である。
【符号の説明】
【０１２６】
１０  記録媒体
１００  記録再生装置
１０１  レンズ群
１０２  撮像部
１０３  Ａ／Ｄ変換部
１０４  映像信号処理部
１０５  圧縮多重部
１０６  記録処理部
１０８  ドライブ制御部
１０９  入力部
１１０  制御部
１１１  画像生成部
１１２  表示部
１１３  映像信号処理部
１１４  分離伸張部
１１５  再生処理部
１２１  ユーザ操作受付部
１２２  ファイナライズ実行部
１２３  メニュー画面表示部
１２４  選択画面表示部
１２５  警告画面表示部
１２６  コンテンツ再生部
１２７  メニューファイル検出部
１２８  メニューファイル選択部
１２９  標準形式のメニューファイル作成部
１３０  簡易形式のメニューファイル作成部
１３１  メニューファイル記録部
１３２  モード判定部
２１０  制御部
２２８  メニューファイル選択部
２２９  メニューファイル作成部
２３０  メニューファイル削除部
【手続補正３】
【補正対象書類名】図面
【補正対象項目名】全図
【補正方法】変更
【補正の内容】
【図１】
2007108345.tif 000019
【図２】
2007108345.tif 000020
【図３】
2007108345.tif 000021
【図４】
2007108345.tif 000022
【図５】
2007108345.tif 000023
【図６】
2007108345.tif 000024
【図７】
2007108345.tif 000025
【図８】
2007108345.tif 000026
【図９】
2007108345.tif 000027
【図１０】
2007108345.tif 000028
【図１１】
2007108345.tif 000029
【図１２】
2007108345.tif 000030
【図１３】
2007108345.tif 000031
【図１４】
2007108345.tif 000032
【図１５】
2007108345.tif 000033
【図１６】
2007108345.tif 000034
【国際調査報告】
2007108345.tif 000035
2007108345.tif 000036
2007108345.tif 000037
2007108345.tif 000038